(57)【要約】【課題】撮影した位置を示す位置情報を収集し、利用することができなかった。【解決手段】位置情報を受信する受信部と、位置情報を少なくとも含む１種類以上のＰＯＩ属性情報を有するＰＯＩ情報を構成しＰＯＩ情報格納部に蓄積する蓄積部と、受信部が受信した位置情報との関係が予め決められた条件を満たす位置情報を有するＰＯＩ情報から、予め決められた種類のＰＯＩ属性情報を取得するＰＯＩ属性情報取得部と、ＰＯＩ属性情報を端末装置に送信する送信部とを備えるサーバ装置と、位置情報を取得する端末位置情報取得部と、撮影を行う端末撮影部と、撮影時に端末位置情報取得部が取得した位置情報を送信する端末送信部と、ＰＯＩ属性情報を受信する端末受信部と、ＰＯＩ属性情報を出力する端末出力部とを備える端末装置とを備える位置情報利用システムを構成するサーバ装置により、撮影した位置を示す位置情報を収集し、利用することができる。【選択図】図１
2015005079.tif 000002
【特許請求の範囲】
【請求項１】
サーバ装置と、端末装置とを備える位置情報利用システムを構成するサーバ装置であって、
前記サーバ装置は、
ＰＯＩに関する情報であり、位置を示す位置情報を少なくとも含む１種類以上のＰＯＩ属性情報を有する情報である１以上のＰＯＩ情報が格納されるＰＯＩ情報格納部と、
前記端末装置から位置情報を受信する受信部と、
前記受信部が受信した位置情報を有するＰＯＩ情報を構成し、当該ＰＯＩ情報を前記ＰＯＩ情報格納部に蓄積する蓄積部と、
前記ＰＯＩ情報格納部に格納されている１以上のＰＯＩ情報のうち、前記受信部が受信した位置情報との関係が予め決められた条件を満たす位置情報を有する１以上の各ＰＯＩ情報から、予め決められた種類の１以上のＰＯＩ属性情報を取得するＰＯＩ属性情報取得部と、
前記ＰＯＩ属性情報取得部が取得した１以上のＰＯＩ属性情報を前記端末装置に送信する送信部とを備え、
前記端末装置は、
端末装置の位置を示す位置情報を取得する端末位置情報取得部と、
撮影を行う端末撮影部と、
前記撮影時に前記端末位置情報取得部が取得した位置情報を前記サーバ装置に送信する端末送信部と、
前記サーバ装置から１以上のＰＯＩ属性情報を受信する端末受信部と、
前記端末受信部が受信した１以上のＰＯＩ属性情報を出力する端末出力部とを備える位置情報利用システムを構成するサーバ装置。
【請求項２】
前記端末装置は、
端末装置を識別する端末識別子が格納される端末格納部をさらに備え、
前記端末送信部は、
前記撮影時に前記端末位置情報取得部が取得した位置情報と前記端末識別子とを前記サーバ装置に送信し、
前記受信部は、
位置情報と端末識別子とを前記端末装置から受信し、
前記蓄積部は、
前記受信部が受信した位置情報を有するＰＯＩ情報を構成し、当該ＰＯＩ情報を前記受信部が受信した端末識別子と対応付けて前記ＰＯＩ情報格納部に蓄積し、
前記ＰＯＩ属性情報取得部は、
前記ＰＯＩ情報格納部に格納されている１以上のＰＯＩ情報のうち、前記受信部が受信した端末識別子とは異なる端末識別子が対応付いており、かつ、前記受信部が受信した位置情報との関係が予め決められた条件を満たす位置情報を有する１以上の各ＰＯＩ情報から、予め決められた種類の１以上のＰＯＩ属性情報を取得する請求項１記載の位置情報利用システムを構成するサーバ装置。
【請求項３】
前記サーバ装置は、
前記ＰＯＩ情報格納部に格納されている１以上のＰＯＩ情報を、当該ＰＯＩ情報に対応付いている１以上の端末識別子ごとに統計処理し、当該統計処理の結果を示す情報であり、当該１以上の各端末識別子が対応付いた情報である１以上の統計処理情報を取得する統計処理部をさらに備え、
前記ＰＯＩ属性情報取得部は、
前記一の統計処理情報について、当該統計処理情報を用いて、前記ＰＯＩ情報格納部に格納されている１以上のＰＯＩ情報のうち、予め決められた条件を満たす１以上の各ＰＯＩ情報から、予め決められた種類の１以上のＰＯＩ属性情報を取得し、
前記送信部は、
前記ＰＯＩ属性情報取得部が１以上のＰＯＩ属性情報の取得に用いた一の統計処理情報に対応する端末識別子により識別される端末装置に、当該１以上のＰＯＩ属性情報を送信する請求項２記載の位置情報利用システムを構成するサーバ装置。
【請求項４】
前記サーバ装置は、
広告を示す情報である１以上の広告情報が、場所を特定することが可能な情報である場所特定情報と対応付いて格納される広告情報格納部と、
前記一の統計処理情報について、当該統計処理情報を用いて、予め決められた条件を満たす１以上の広告情報を前記広告情報格納部から取得する広告情報取得部とをさらに備え、
前記送信部は、
前記広告情報取得部が１以上の広告情報の取得に用いた一の統計処理情報に対応する端末識別子により識別される端末装置に、当該１以上の広告情報を送信し、
前記端末受信部は、
前記サーバ装置から１以上の広告情報を受信し、
前記端末出力部は、
前記端末受信部が受信した１以上の広告情報を出力する請求項３記載の位置情報利用システムを構成するサーバ装置。
【請求項５】
前記サーバ装置は、
端末識別子と、当該端末識別子により識別される端末装置を使用するユーザに関する情報であるユーザ関連情報とが対応付いた情報である１以上のユーザ管理情報が格納されるユーザ管理情報格納部と、
前記一の統計処理情報について、当該統計処理情報を用いて、予め決められた条件を満たす１以上の各統計処理情報に対応する１以上の端末識別子を取得する端末識別子取得部と、
前記端末識別子取得部が取得した１以上の各端末識別子に対応する１以上のユーザ関連情報を、前記ユーザ管理情報格納部から取得するユーザ関連情報取得部とをさらに備え、
前記送信部は、
前記端末識別子取得部が１以上の端末識別子の取得に用いた一の統計処理情報に対応する端末識別子により識別される端末装置に、前記ユーザ関連情報取得部が取得した１以上のユーザ関連情報を送信し、
前記端末受信部は、
前記サーバ装置から１以上のユーザ関連情報を受信し、
前記端末出力部は、
前記端末受信部が受信した１以上のユーザ関連情報を出力する請求項３記載の位置情報利用システムを構成するサーバ装置。
【請求項６】
前記サーバ装置は、
前記一の統計処理情報について、当該統計処理情報を用いて、予め決められた条件を満たす１以上の各統計処理情報に対応する１以上の端末識別子を取得する端末識別子取得部をさらに備え、
前記ＰＯＩ属性情報取得部は、
前記ＰＯＩ情報格納部に格納されている１以上のＰＯＩ情報のうち、前記端末識別子取得部が取得した１以上の各端末識別子が対応付いている１以上のＰＯＩ情報から、予め決められた種類の１以上のＰＯＩ属性情報を取得し、
前記送信部は、
前記端末識別子取得部が１以上の端末識別子の取得に用いた一の統計処理情報に対応する端末識別子により識別される端末装置に、前記ＰＯＩ属性情報取得部が取得した１以上のＰＯＩ属性情報を送信する請求項５記載の位置情報利用システムを構成するサーバ装置。
【請求項７】
前記サーバ装置は、
広告を示す情報である１以上の広告情報が、場所を特定することが可能な情報である場所特定情報と対応付いて格納される広告情報格納部と、
前記受信部が受信した位置情報との関係が予め決められた条件を満たす場所特定情報が対応付いた１以上の広告情報を、前記広告情報格納部から取得する広告情報取得部とをさらに備え、
前記送信部は、
前記広告情報取得部が取得した１以上の広告情報を前記端末装置に送信し、
前記端末受信部は、
前記サーバ装置から１以上の広告情報を受信し、
前記端末出力部は、
前記端末受信部が受信した１以上の広告情報を出力する請求項１記載の位置情報利用システムを構成するサーバ装置。
【請求項８】
前記サーバ装置は、
前記受信部が受信した情報を用いて、前記端末撮影部が撮影した対象である撮影対象を示す撮影対象情報を取得する撮影対象情報取得部をさらに備え、
前記広告情報格納部には、
場所特定情報と、広告の対象を示す広告対象情報とが対応付いた１以上の広告情報が格納されており、
前記広告情報取得部は、
前記撮影対象情報との関係が予め決められた条件を満たす広告対象情報が対応付いており、かつ、前記受信部が受信した位置情報との関係が予め決められた条件を満たす場所特定情報が対応付いている１以上の広告情報を、前記広告情報格納部から取得する請求項７記載の位置情報利用システムを構成するサーバ装置。
【請求項９】
前記端末装置は、
端末装置の方向を示す方向情報を取得する端末方向情報取得部と、
端末装置の角度を示す角度情報を取得する端末角度情報取得部とをさらに備え、
前記端末送信部は、
前記撮影時に前記端末位置情報取得部が取得した位置情報と、前記撮影時に前記端末方向情報取得部が取得した方向情報と、前記撮影時に前記端末角度情報取得部が取得した角度情報とを、前記サーバ装置に送信し、
前記受信部は、
位置情報と方向情報と角度情報とを前記端末装置から受信し、
前記撮影対象情報取得部は、
前記受信部が受信した位置情報と方向情報と角度情報とを用いて、前記端末撮影部が撮影した対象である撮影対象を示す撮影対象情報を取得する請求項８記載の位置情報利用システムを構成するサーバ装置。
【請求項１０】
前記端末撮影部は、
撮影し、当該撮影の結果である画像を取得し、
前記端末送信部は、
前記撮影時に前記端末位置情報取得部が取得した位置情報と前記撮影部が取得した画像とを前記サーバ装置に送信し、
前記受信部は、
位置情報と画像とを前記端末装置から受信し、
前記撮影対象情報取得部は、
前記受信部が受信した位置情報と画像とを用いて、前記端末撮影部が撮影した対象である撮影対象を示す撮影対象情報を取得する請求項８記載の位置情報利用システムを構成するサーバ装置。
【請求項１１】
ＰＯＩに関する情報であり、位置を示す位置情報を少なくとも含む１種類以上のＰＯＩ属性情報を有する情報である１以上のＰＯＩ情報が格納されるＰＯＩ情報格納部と、受信部と、蓄積部と、ＰＯＩ属性情報取得部と、送信部とを用いて行われる情報処理方法であって、
前記受信部が、
位置情報を受信する受信ステップと、
前記蓄積部が、
前記受信部が受信した位置情報を有するＰＯＩ情報を構成し、当該ＰＯＩ情報を前記ＰＯＩ情報格納部に蓄積する蓄積ステップと、
前記ＰＯＩ属性情報取得部が、
前記ＰＯＩ情報格納部に格納されている１以上のＰＯＩ情報のうち、前記受信部が受信した位置情報との関係が予め決められた条件を満たす位置情報を有する１以上の各ＰＯＩ情報から、予め決められた種類の１以上のＰＯＩ属性情報を取得するＰＯＩ属性情報取得ステップと、
前記送信部が、
前記ＰＯＩ属性情報取得部が取得した１以上のＰＯＩ属性情報を送信する送信ステップとを備える情報処理方法。
【請求項１２】
ＰＯＩに関する情報であり、位置を示す位置情報を少なくとも含む１種類以上のＰＯＩ属性情報を有する情報である１以上のＰＯＩ情報が格納されるＰＯＩ情報格納部にアクセス可能なコンピュータを、
位置情報を受信する受信部と、
前記受信部が受信した位置情報を有するＰＯＩ情報を構成し、当該ＰＯＩ情報を前記ＰＯＩ情報格納部に蓄積する蓄積部と、
前記ＰＯＩ情報格納部に格納されている１以上のＰＯＩ情報のうち、前記受信部が受信した位置情報との関係が予め決められた条件を満たす位置情報を有する１以上の各ＰＯＩ情報から、予め決められた種類の１以上のＰＯＩ属性情報を取得するＰＯＩ属性情報取得部と、
前記ＰＯＩ属性情報取得部が取得した１以上のＰＯＩ属性情報を前記端末装置に送信する送信部として機能させるためのプログラム。
【発明の詳細な説明】
【技術分野】
【０００１】
本発明は、受信した位置情報を利用するサーバ装置等に関するものである。
【背景技術】
【０００２】
撮影時に、撮影した位置を示す位置情報を取得し、当該位置情報を撮影した写真や映像に埋め込むデジタルカメラなどが開発されている（非特許文献１参照）。
【先行技術文献】
【非特許文献】
【０００３】
【非特許文献１】“PowerShot SX280 HS”、［online］、キヤノン株式会社、［２０１３年５月２４日検索］、インターネット［URL；http://cweb.canon.jp/camera/dcam/lineup/powershot/sx280hs/］
【発明の概要】
【発明が解決しようとする課題】
【０００４】
従来、撮影した位置を示す位置情報を蓄積し、当該位置情報が示す位置を、お薦めの撮影ポイントとしてユーザに提示するなど、撮影した位置を示す位置情報を収集し、利用することができなかった。
【課題を解決するための手段】
【０００５】
本第一の発明のサーバ装置は、サーバ装置と、端末装置とを備える位置情報利用システムを構成するサーバ装置であって、サーバ装置は、ＰＯＩに関する情報であり、位置を示す位置情報を少なくとも含む１種類以上のＰＯＩ属性情報を有する情報である１以上のＰＯＩ情報が格納されるＰＯＩ情報格納部と、端末装置から位置情報を受信する受信部と、受信部が受信した位置情報を有するＰＯＩ情報を構成し、ＰＯＩ情報をＰＯＩ情報格納部に蓄積する蓄積部と、ＰＯＩ情報格納部に格納されている１以上のＰＯＩ情報のうち、受信部が受信した位置情報との関係が予め決められた条件を満たす位置情報を有する１以上の各ＰＯＩ情報から、予め決められた種類の１以上のＰＯＩ属性情報を取得するＰＯＩ属性情報取得部と、ＰＯＩ属性情報取得部が取得した１以上のＰＯＩ属性情報を端末装置に送信する送信部とを備え、端末装置は、端末装置の位置を示す位置情報を取得する端末位置情報取得部と、撮影を行う端末撮影部と、撮影時に端末位置情報取得部が取得した位置情報をサーバ装置に送信する端末送信部と、サーバ装置から１以上のＰＯＩ属性情報を受信する端末受信部と、端末受信部が受信した１以上のＰＯＩ属性情報を出力する端末出力部とを備える位置情報利用システムを構成するサーバ装置である。
【０００６】
このような構成により、撮影した位置を示す位置情報を収集し、予め決められた条件を満たす位置の提案に利用することができる。
【０００７】
また、本第二の発明のサーバ装置は、第一の発明に対して、端末装置は、端末装置を識別する端末識別子が格納される端末格納部をさらに備え、端末送信部は、撮影時に端末位置情報取得部が取得した位置情報と端末識別子とをサーバ装置に送信し、受信部は、位置情報と端末識別子とを端末装置から受信し、蓄積部は、受信部が受信した位置情報を有するＰＯＩ情報を構成し、ＰＯＩ情報を受信部が受信した端末識別子と対応付けてＰＯＩ情報格納部に蓄積し、ＰＯＩ属性情報取得部は、ＰＯＩ情報格納部に格納されている１以上のＰＯＩ情報のうち、受信部が受信した端末識別子とは異なる端末識別子が対応付いており、かつ、受信部が受信した位置情報との関係が予め決められた条件を満たす位置情報を有する１以上の各ＰＯＩ情報から、予め決められた種類の１以上のＰＯＩ属性情報を取得する位置情報利用システムを構成するサーバ装置である。
【０００８】
このような構成により、収集した位置情報のうち、他のユーザが撮影した位置を示す位置情報を、予め決められた条件を満たす位置の提案に利用することができる。
【０００９】
また、本第三の発明のサーバ装置は、第二の発明に対して、サーバ装置は、ＰＯＩ情報格納部に格納されている１以上のＰＯＩ情報を、ＰＯＩ情報に対応付いている１以上の端末識別子ごとに統計処理し、統計処理の結果を示す情報であり、１以上の各端末識別子が対応付いた情報である１以上の統計処理情報を取得する統計処理部をさらに備え、ＰＯＩ属性情報取得部は、一の統計処理情報について、統計処理情報を用いて、ＰＯＩ情報格納部に格納されている１以上のＰＯＩ情報のうち、予め決められた条件を満たす１以上の各ＰＯＩ情報から、予め決められた種類の１以上のＰＯＩ属性情報を取得し、送信部は、ＰＯＩ属性情報取得部が１以上のＰＯＩ属性情報の取得に用いた一の統計処理情報に対応する端末識別子により識別される端末装置に、１以上のＰＯＩ属性情報を送信する位置情報利用システムを構成するサーバ装置である。
【００１０】
このような構成により、収集した位置情報を統計処理し、当該統計処理の結果を、予め決められた条件を満たす位置の提案に利用することができる。
【００１１】
また、本第四の発明のサーバ装置は、第三の発明に対して、サーバ装置は、広告を示す情報である１以上の広告情報が、場所を特定することが可能な情報である場所特定情報と対応付いて格納される広告情報格納部と、一の統計処理情報について、統計処理情報を用いて、予め決められた条件を満たす１以上の広告情報を広告情報格納部から取得する広告情報取得部とをさらに備え、送信部は、広告情報取得部が１以上の広告情報の取得に用いた一の統計処理情報に対応する端末識別子により識別される端末装置に、１以上の広告情報を送信し、端末受信部は、サーバ装置から１以上の広告情報を受信し、端末出力部は、端末受信部が受信した１以上の広告情報を出力する位置情報利用システムを構成するサーバ装置である。
【００１２】
このような構成により、収集した位置情報を統計処理した結果を、広告の配信に利用することができる。
【００１３】
また、本第五の発明のサーバ装置は、第三の発明に対して、サーバ装置は、端末識別子と、端末識別子により識別される端末装置を使用するユーザに関する情報であるユーザ関連情報とが対応付いた情報である１以上のユーザ管理情報が格納されるユーザ管理情報格納部と、一の統計処理情報について、統計処理情報を用いて、予め決められた条件を満たす１以上の各統計処理情報に対応する１以上の端末識別子を取得する端末識別子取得部と、端末識別子取得部が取得した１以上の各端末識別子に対応する１以上のユーザ関連情報を、ユーザ管理情報格納部から取得するユーザ関連情報取得部とをさらに備え、送信部は、端末識別子取得部が１以上の端末識別子の取得に用いた一の統計処理情報に対応する端末識別子により識別される端末装置に、ユーザ関連情報取得部が取得した１以上のユーザ関連情報を送信し、端末受信部は、サーバ装置から１以上のユーザ関連情報を受信し、端末出力部は、端末受信部が受信した１以上のユーザ関連情報を出力する位置情報利用システムを構成するサーバ装置である。
【００１４】
このような構成により、収集した位置情報を統計処理した結果を、予め決められた条件を満たすユーザの紹介に利用することができる。
【００１５】
また、本第六の発明のサーバ装置は、第五の発明に対して、サーバ装置は、一の統計処理情報について、統計処理情報を用いて、予め決められた条件を満たす１以上の各統計処理情報に対応する１以上の端末識別子を取得する端末識別子取得部をさらに備え、ＰＯＩ属性情報取得部は、ＰＯＩ情報格納部に格納されている１以上のＰＯＩ情報のうち、端末識別子取得部が取得した１以上の各端末識別子が対応付いている１以上のＰＯＩ情報から、予め決められた種類の１以上のＰＯＩ属性情報を取得し、送信部は、端末識別子取得部が１以上の端末識別子の取得に用いた一の統計処理情報に対応する端末識別子により識別される端末装置に、ＰＯＩ属性情報取得部が取得した１以上のＰＯＩ属性情報を送信する位置情報利用システムを構成するサーバ装置である。
【００１６】
このような構成により、収集した位置情報を統計処理した結果を、予め決められた条件を満たすユーザの撮影ポイントの提案に利用することができる。
【００１７】
また、本第七の発明のサーバ装置は、第一の発明に対して、サーバ装置は、広告を示す情報である１以上の広告情報が、場所を特定することが可能な情報である場所特定情報と対応付いて格納される広告情報格納部と、受信部が受信した位置情報との関係が予め決められた条件を満たす場所特定情報が対応付いた１以上の広告情報を、広告情報格納部から取得する広告情報取得部とをさらに備え、送信部は、広告情報取得部が取得した１以上の広告情報を端末装置に送信し、端末受信部は、サーバ装置から１以上の広告情報を受信し、端末出力部は、端末受信部が受信した１以上の広告情報を出力する位置情報利用システムを構成するサーバ装置である。
【００１８】
このような構成により、撮影した位置を示す位置情報を収集し、広告の配信に利用することができる。
【００１９】
また、本第八の発明のサーバ装置は、第七の発明に対して、サーバ装置は、受信部が受信した情報を用いて、端末撮影部が撮影した対象である撮影対象を示す撮影対象情報を取得する撮影対象情報取得部をさらに備え、広告情報格納部には、場所特定情報と、広告の対象を示す広告対象情報とが対応付いた１以上の広告情報が格納されており、広告情報取得部は、撮影対象情報との関係が予め決められた条件を満たす広告対象情報が対応付いており、かつ、受信部が受信した位置情報との関係が予め決められた条件を満たす場所特定情報が対応付いている１以上の広告情報を、広告情報格納部から取得する位置情報利用システムを構成するサーバ装置である。
【００２０】
このような構成により、収集した位置情報を、撮影の対象に適した広告の配信に利用することができる。
【００２１】
また、本第九の発明のサーバ装置は、第八の発明に対して、端末装置は、端末装置の方向を示す方向情報を取得する端末方向情報取得部と、端末装置の角度を示す角度情報を取得する端末角度情報取得部とをさらに備え、端末送信部は、撮影時に端末位置情報取得部が取得した位置情報と、撮影時に端末方向情報取得部が取得した方向情報と、撮影時に端末角度情報取得部が取得した角度情報とを、サーバ装置に送信し、受信部は、位置情報と方向情報と角度情報とを端末装置から受信し、撮影対象情報取得部は、受信部が受信した位置情報と方向情報と角度情報とを用いて、端末撮影部が撮影した対象である撮影対象を示す撮影対象情報を取得する位置情報利用システムを構成するサーバ装置である。
【００２２】
このような構成により、撮影時の位置と方向と角度から、撮影対象を特定することができる。
【００２３】
また、本第十の発明のサーバ装置は、第八の発明に対して、端末撮影部は、撮影し、撮影の結果である画像を取得し、端末送信部は、撮影時に端末位置情報取得部が取得した位置情報と撮影部が取得した画像とをサーバ装置に送信し、受信部は、位置情報と画像とを端末装置から受信し、撮影対象情報取得部は、受信部が受信した位置情報と画像とを用いて、端末撮影部が撮影した対象である撮影対象を示す撮影対象情報を取得する位置情報利用システムを構成するサーバ装置である。
【００２４】
このような構成により、撮影時の位置と画像から、撮影対象を特定することができる。
【発明の効果】
【００２５】
本発明によるサーバ装置等によれば、撮影した位置を示す位置情報を収集し、利用することができる。
【図面の簡単な説明】
【００２６】
【図１】実施の形態１における位置情報利用システム１の概念図
【図２】同サーバ装置１１のブロック図
【図３】同端末装置１２のブロック図
【図４】同サーバ装置１１の全体動作について説明するフローチャート
【図５】同ユーザ関連情報の取得と送信処理について説明するフローチャート
【図６】同ＰＯＩ属性情報の取得処理について説明するフローチャート
【図７】同端末装置１２の全体動作について説明するフローチャート
【図８】同ＰＯＩ情報の例を示す図
【図９】同統計処理情報の例を示す図
【図１０】同ユーザ管理情報の例を示す図
【図１１】同広告情報の例を示す図
【図１２】同ユーザ関連情報の出力例を示す図
【図１３】同名称情報の出力例を示す図
【図１４】同広告情報の出力例を示す図
【図１５】実施の形態２におけるサーバ装置２１のブロック図
【図１６】同端末装置２２のブロック図
【図１７】同サーバ装置２１の全体動作について説明するフローチャート
【図１８】同地点情報の例を示す図
【図１９】同画像の例を示す図
【図２０】同広告情報の例を示す図
【図２１】上記実施の形態におけるコンピュータシステムの概観図
【図２２】上記実施の形態におけるコンピュータシステムのブロック図
【発明を実施するための形態】
【００２７】
以下、本発明によるサーバ装置等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００２８】
（実施の形態１）
本実施の形態において、サーバ装置１１と端末装置１２とを備える位置情報利用システム１について説明する。サーバ装置１１は、端末装置１２から受信した位置情報をＰＯＩ情報として蓄積し、端末装置１２から受信した位置情報に対応するＰＯＩ情報や広告情報などを取得し、当該ＰＯＩ情報を端末装置１２に送信する。また、端末装置１２は、位置情報を取得し、当該位置情報をサーバ装置１１に送信し、サーバ装置１１からＰＯＩ情報や広告情報などを受信し、出力する。
【００２９】
ここで、「ＰＯＩ」とは、「Ｐｏｉｎｔ  ｏｆ  ｉｎｔｅｒｅｓｔ」の略であり、特定の地点である。ＰＯＩは、地図上の地点であればよい。ＰＯＩは、例えば、いわゆる撮影ポイントや撮影スポットなどと呼ばれる地点、コンビニエンスストアや書店などの販売店、ファーストフード店やレストランなどの飲食店、ガソリンスタンドや充電スタンドなどの燃料補給地点、ボーリング場やカラオケボックスなどの娯楽施設などである。
【００３０】
また、「ＰＯＩ情報」とは、ＰＯＩに関する情報である。また、ＰＯＩ情報は、１種類以上のＰＯＩ属性情報を有する情報でもある。ＰＯＩ属性情報は、例えば、ＰＯＩの位置を示す位置情報や、ＰＯＩ情報を識別するＰＯＩ識別子、ＰＯＩの名称を示す名称情報、ＰＯＩの種類を示す種類情報などである。また、ＰＯＩ属性情報は、通常、少なくとも位置情報を含む。つまり、ＰＯＩ情報は、位置情報を少なくとも含む１種類以上のＰＯＩ属性情報の集合であると言える。
【００３１】
また、位置情報が示す位置は、通常、経緯度である。また、当該位置は、例えば、高度（高さ）を含んでもよい。また、種類情報が示す種類は、例えば、「ジャンル」や、「カテゴリ」などと呼んでもよい。また、種類情報は、１以上のＰＯＩ情報を１以上のグループに分類することができれば、その内容や形式などは、問わない。種類情報は、例えば、「コンビニ」や、「ガソリンスタンド」、「ファミレス」などである。
【００３２】
また、ＰＯＩ情報は、ＰＯＩの種類によっては、例えば、住所や、営業時間、定休日、ＰＯＩの解説などを示す情報を有していてもよい。また、ＰＯＩ情報は、例えば、出力時のアイコンや、出力時の色を示す情報などを有していてもよい。アイコンは、図柄、絵柄、記号、文字などを表現したものである。アイコンは、通常、いわゆる画像であるが、当該画像の形式は問わない。つまり、当該画像は、ラスタデータであってもよいし、ベクタデータであってもよいし、その他のデータであってもよい。また、アイコンは、アイコンの属性を示す１以上の属性情報を有していてもよい。当該属性は、例えば、色や、大きさ、形状などである。また、アイコンは、アイコンを識別するアイコン識別子を有していてもよい。
【００３３】
図１は、本実施の形態における位置情報利用システム１の概念図である。図１において、サーバ装置１１と、端末装置１２とは、ネットワーク１３を介して接続されている。位置情報利用システム１は、図１に示す様に、通常、２以上の端末装置１２を備える。また、端末装置１２は、例えば、いわゆるデジタルカメラや、撮影機能を有する携帯端末などである。携帯端末は、例えば、携帯電話や、ＰＤＡなどである。また、ネットワーク１３は、無線または有線の通信回線であり、例えば、インターネットやイントラネット、ＬＡＮ（Ｌｏｃａｌ  Ａｒｅａ  Ｎｅｔｗｏｒｋ）、公衆電話回線網などである。
【００３４】
図２は、本実施の形態におけるサーバ装置１１のブロック図である。サーバ装置１１は、ＰＯＩ情報格納部１１０１、広告情報格納部１１０２、ユーザ管理情報格納部１１０３、受信部１１０４、蓄積部１１０５、統計処理部１１０６、端末識別子取得部１１０７、ユーザ関連情報取得部１１０８、ＰＯＩ属性情報取得部１１０９、広告情報取得部１１１０、送信部１１１１を備える。
【００３５】
また、図３は、本実施の形態における端末装置１２のブロック図である。端末装置１２は、端末格納部１２０１、端末位置情報取得部１２０２、端末方向情報取得部１２０３、端末角度情報取得部１２０４、端末撮影部１２０５、端末送信部１２０６、端末受信部１２０７、端末出力部１２０８を備える。
【００３６】
ＰＯＩ情報格納部１１０１には、１以上のＰＯＩ情報が格納される。ＰＯＩ情報格納部１１０１に格納されるＰＯＩ情報は、通常、いわゆる撮影ポイントや撮影スポットなどと呼ばれる地点に関するＰＯＩ情報である。
【００３７】
広告情報格納部１１０２には、１以上の広告情報が格納される。「広告情報」とは、広告を示す情報である。広告の内容は、問わない。広告の内容は、例えば、いわゆるセールの案内や、いわゆるクーポン券、店舗の紹介などである。また、広告情報の形式は、問わない。広告情報の形式は、例えば、画像や、文字列などである。
【００３８】
また、当該広告情報には、例えば、場所特定情報が対応付いている。場所特定情報とは、場所を特定することが可能な情報である。また、「場所」とは、位置や、地点、区域、地域、領域などを含み、広く解する。つまり、場所特定情報は、例えば、位置情報や、地点を示す地点情報、住所を示す住所情報、区域の名称を示す区域名称情報などである。地点情報は、通常、ＰＯＩ情報と同義である。また、区域の名称は、例えば、市区町村名や、都道府県名、地域名などである。
【００３９】
また、広告情報には、例えば、日時を示す日時情報や、曜日を示す曜日情報などが対応付いていてもよい。日時情報は、日付を示す日付情報と、時刻情報とを有する情報である。また、曜日情報は、例えば、日付情報に含まれていてもよい。
【００４０】
ユーザ管理情報格納部１１０３には、端末識別子と、ユーザ関連情報とが対応付いた情報である１以上のユーザ管理情報が格納される。端末識別子とは、端末装置１２を識別する情報である。また、ユーザ関連情報とは、当該端末識別子により識別される端末装置１２を使用するユーザに関する情報である。
【００４１】
上記「端末識別子」は、例えば、ＩＰアドレスや、ＭＡＣアドレス、個体識別情報、シリアルナンバーなどである。端末識別子は、端末装置１２そのものを識別することができる情報であればよい。
【００４２】
また、上記「ユーザ関連情報」は、通常、ユーザを識別する情報である。ユーザ関連情報は、例えば、いわゆるユーザ名や、いわゆるハンドルネーム、特定のサイトにログインするためのログイン名、特定のサイトにおけるユーザのページを示すＵＲＬなどである。特定のサイトとは、例えば、ＳＮＳサイトや、掲示版サイト、プロフィールサイトなどである。また、ユーザ関連情報は、例えば、ユーザの本名であってもよい。
【００４３】
受信部１１０４は、端末装置１２から、１種類以上の情報を受信する。当該「１種類以上の情報」を、以下、適宜、受信情報と表記する。受信情報は、例えば、端末識別子や、位置情報、方向情報、角度情報、日時情報、曜日情報などである。また、当該端末識別子や位置情報などの各受信情報を、以下、適宜、受信端末識別子や受信位置情報などと表記する。
【００４４】
上記「方向情報」とは、方向を示す情報である。当該「方向」は、方位や、方角などである。つまり、方向情報とは、水平方向に対する方向を示す情報であると言える。また、上記「角度情報」とは、角度を示す情報である。当該「角度」は、垂直方向の角度である。つまり、角度情報とは、垂直方向に対する方向を示す情報であると言える。
【００４５】
また、受信情報は、通常、少なくとも、端末識別子と位置情報とを有する。つまり、受信情報は、少なくとも、端末識別子と位置情報とを含む２種類以上の情報を有していればよく、当該情報の組み合わせは、問わない。当該受信情報が有する情報の組み合わせは、例えば、以下のとおりである。
（Ａ）端末識別子、位置情報
（Ｂ）端末識別子、位置情報、方向情報、角度情報
（Ｃ）端末識別子、位置情報、日時情報
（Ｄ）端末識別子、位置情報、方向情報、角度情報、日時情報
また、受信情報が２種類以上の情報を有している場合、当該２種類以上の情報は、対応付いていることが好適である。
【００４６】
蓄積部１１０５は、受信位置情報を有するＰＯＩ情報を構成する。当該「構成」とは、「作成」や、「生成」などを含み、広く解する。そして、蓄積部１１０５は、当該構成したＰＯＩ情報を、ＰＯＩ情報格納部１１０１に蓄積する。当該蓄積の方法や手順などは、問わない。
【００４７】
蓄積部１１０５は、通常、受信位置情報に、ＰＯＩ情報が有し得る情報を対応付けることにより、ＰＯＩ情報を構成する。当該「ＰＯＩ情報が有し得る情報」とは、通常、位置情報以外のＰＯＩ属性情報である。また、当該「位置情報以外のＰＯＩ属性情報」とは、例えば、ＰＯＩ識別子や、名称情報、種類情報、日時情報、曜日情報、アイコンなどである。
【００４８】
例えば、蓄積部１１０５は、受信位置情報に、予め決められたＰＯＩ属性情報を対応付け、ＰＯＩ情報を構成する。当該「予め決められたＰＯＩ属性情報」とは、静的な情報である。「予め決められたＰＯＩ属性情報」は、例えば、名称情報や、種類情報、アイコンなどである。なお、当該名称情報や、種類情報、アイコンなどは、通常、蓄積部１１０５が保持している。
【００４９】
また、例えば、蓄積部１１０５は、受信位置情報に、受信部１１０４が位置情報を受信した時に対応するＰＯＩ属性情報を対応付け、ＰＯＩ情報を構成する。当該「位置情報を受信した時に対応するＰＯＩ属性情報」とは、動的な情報である。「位置情報を受信した時に対応するＰＯＩ属性情報」は、例えば、日時情報や曜日情報などである。なお、当該日時情報や曜日情報などを取得する方法や手順などは、公知であるので、詳細な説明を省略する。また、当該日時情報や曜日情報などは、例えば、受信部１１０４が受信した日時情報や曜日情報などであってもよい。
【００５０】
また、受信部１１０４が、受信位置情報と共に端末識別子を受信した場合、蓄積部１１０５は、構成したＰＯＩ情報に当該端末識別子を対応付ける。そして、蓄積部１１０５は、当該端末識別子が対応付いたＰＯＩ情報を、ＰＯＩ情報格納部１１０１に蓄積する。
【００５１】
なお、蓄積部１１０５は、受信位置情報を有するＰＯＩ情報を構成することができればよく、その方法や手順などは、問わない。
【００５２】
統計処理部１１０６は、１以上のＰＯＩ情報を、同一の端末識別子が対応付いているＰＯＩ情報ごとに統計処理する。そして、統計処理部１１０６は、当該統計処理の結果を示す情報である１以上の統計処理情報を取得する。当該「１以上のＰＯＩ情報」は、通常、ＰＯＩ情報格納部１１０１に格納されているＰＯＩ情報である。また、当該「統計処理」の対象は、通常、ＰＯＩ情報が有する位置情報であるが、その他のＰＯＩ属性情報であってもよい。また、当該取得する１以上の各統計処理情報には、通常、１つの端末識別子が対応付いている。また、統計処理情報は、通常、少なくとも位置情報を有する。
【００５３】
また、上記「統計処理」の内容や、その方法や手順などは、問わない。「統計処理」の内容は、例えば、以下のとおりである。
（Ａ）ＰＯＩ情報が有する位置情報が示す位置を含む場所を特定すること
（Ｂ）ＰＯＩ情報の数をカウントすること
（Ｃ）ＰＯＩ情報が有する位置情報に基づいて、当該１以上のＰＯＩ情報を１以上のグループに分類すること（いわゆるクラスタリングを行うこと）
（Ｄ）上記（Ｃ）のグループごとに当該グループに属するＰＯＩ情報の数をカウントすること
（Ｅ）上記（Ｄ）の数を用いてＰＯＩ情報の数が最多であるグループを特定すること
【００５４】
なお、上記（Ａ）において、「場所」は、通常、区域や、地域、領域など、広さを有する概念である。また、上記（Ｃ）において、「位置情報」は、例えば、「日時情報」や、「曜日情報」などであってもよい。
【００５５】
また、上記（Ａ）は、言い換えると、撮影が行われた場所（以下、適宜、撮影場所）を特定することである。また、上記（Ｂ）は、言い換えると、撮影が行われた回数（以下、適宜、撮影回数）をカウントすることである。また、上記（Ｃ）は、言い換えると、２以上の撮影場所を特定することであり、当該撮影場所ごとに１以上のＰＯＩ情報を分類することである。また、上記（Ｄ）は、言い換えると、撮影場所ごとの撮影回数をカウントすることである。また、上記（Ｅ）は、言い換えると、撮影回数が最多である撮影場所を特定することである。
【００５６】
また、上記（Ａ）から（Ｅ）の各統計処理に対応する統計処理情報は、例えば、以下のとおりである。
（ａ）ＰＯＩ情報が有する位置情報が示す位置を含む場所を示す情報
（ｂ）ＰＯＩ情報の数
（ｃ）各グループに属するＰＯＩ情報が有する位置情報が示す位置を含む場所を示す情報
（ｄ）各グループに属するＰＯＩ情報が有する位置情報が示す位置を含む場所を示す情報と、グループごとのＰＯＩ情報の数
（ｅ）ＰＯＩ情報の数が最多であるグループに属するＰＯＩ情報が有する位置情報が示す位置を含む場所を示す情報と、当該グループに属するＰＯＩ情報の数
【００５７】
なお、上記「各グループに属するＰＯＩ情報が有する位置情報が示す位置を含む場所を示す情報」には、グループの順序を示す情報が対応付いていてもよい。当該順序は、グループに属するＰＯＩ情報の数に基づくものや、ＰＯＩ情報が有する日時情報に基づくものなど、何でもよい。
【００５８】
また、具体的に、統計処理部１１０６は、例えば、ＰＯＩ情報格納部１１０１から、同一の端末識別子が対応付いている１以上のＰＯＩ情報を取得する。当該「１以上のＰＯＩ情報」を、以下、適宜、処理対象ＰＯＩ情報集合とする。また、このとき、統計処理部１１０６は、通常、端末識別子のユニークな数と同数の処理対象ＰＯＩ情報集合を取得する。そして、統計処理部１１０６は、取得した１以上の各処理対象ＰＯＩ情報集合に対して、上記の統計処理を行う。そして、統計処理部１１０６は、当該１以上の処理対象ＰＯＩ情報集合ごとに、統計処理情報を取得する。
【００５９】
例えば、ＰＯＩ情報格納部１１０１にｍ個のＰＯＩ情報が格納されているとする。また、当該ｍ個のＰＯＩ情報には、端末識別子「ＩＤ０１」または「ＩＤ０２」のいずれかが対応付いているとする。この様な場合、統計処理部１１０６は、「ＩＤ０１」が対応付いている処理対象ＰＯＩ情報集合と、「ＩＤ０２」が対応付いている処理対象ＰＯＩ情報集合との２つの処理対象ＰＯＩ情報集合を取得する。そして、統計処理部１１０６は、当該２つの処理対象ＰＯＩ情報集合に対して統計処理を行い、２つの統計処理情報を取得する。当該２つの統計処理情報には、それぞれ、端末識別子「ＩＤ０１」、「ＩＤ０２」が対応付いている。
【００６０】
また、例えば、統計処理の内容が上記の（Ａ）であるとする。この場合、統計処理部１１０６は、１つの処理対象ＰＯＩ情報集合に対して、上記（Ａ）の統計処理を行う。具体的に、例えば、当該処理対象ＰＯＩ情報集合が、ｍ個のＰＯＩ情報を有しているとする。すると、統計処理部１１０６は、当該ｍ個のＰＯＩ情報が有する位置情報を用いて、当該位置情報の平均を算出する。当該平均は、位置情報である。そして、統計処理部１１０６は、当該平均の位置情報と、当該ｍ個のＰＯＩ情報が有する位置情報とを用いて、当該平均の位置情報が示す位置から、当該ｍ個のＰＯＩ情報が有する位置情報が示す位置までの距離を算出する。そして、統計処理部１１０６は、当該平均の位置情報と、当該算出した距離のうちの最大の距離とを、統計処理情報として取得する。
【００６１】
また、例えば、統計処理の内容が上記の（Ｂ）であるとする。この場合、統計処理部１１０６は、１つの処理対象ＰＯＩ情報集合に対して、上記（Ｂ）の統計処理を行う。具体的に、例えば、当該処理対象ＰＯＩ情報集合が、ｍ個のＰＯＩ情報を有しているとする。すると、統計処理部１１０６は、当該ＰＯＩ情報の数をカウントし、当該ＰＯＩ情報の数である「ｍ」を、統計処理情報として取得する。
【００６２】
また、統計処理部１１０６は、通常、予め決められた統計処理を行い、当該予め決められた統計処理に対応する予め決められた統計処理情報を取得する。なお、上記の統計処理の方法や手順などは、公知であるので、詳細な説明を省略する。
【００６３】
また、統計処理を行うタイミングは、問わない。当該タイミングは、通常、受信部１１０４が受信情報を受信するたびであることが好適である。また、当該タイミングは、例えば、予め決められた時刻になるたび、予め決められた時間が経過するたびなどであってもよい。
【００６４】
端末識別子取得部１１０７は、予め決められた条件（以下、適宜、端末識別子取得条件）を満たす１以上の各統計処理情報に対応する端末識別子を取得する。端末識別子取得条件とは、端末識別子を取得するための条件である。また、端末識別子取得条件は、通常、統計処理情報が類似していることである。また、端末識別子取得条件は、例えば、統計処理情報が類似していないことであってもよい。また、当該「類似」とは、類似の度合を示す情報が予め決められた条件を満たすことである。また、１つの統計処理情報には、通常、１つの端末識別子が対応付いている。従って、端末識別子取得部１１０７は、通常、合計１以上の端末識別子を取得する。
【００６５】
具体的に、端末識別子取得部１１０７は、統計処理部１１０６が取得した１以上の統計処理情報を用いて、当該１以上の統計処理情報のうちの１つの統計処理情報（以下、適宜、対象統計処理情報）について、当該１つの統計処理情報に類似するまたは類似しない１以上の統計処理情報を取得する。そして、端末識別子取得部１１０７は、当該取得した１以上の各統計処理情報に対応する端末識別子を取得する。
【００６６】
また、対象統計処理情報は、通常、受信部１１０４が受信した端末識別子と同一の端末識別子が対応付いている統計処理情報である。また、対象統計処理情報は、例えば、統計処理部１１０６が取得した１以上の統計処理情報から予め決められた順序により選択された統計処理情報であってもよい。
【００６７】
また、２つの統計処理情報が類似するか否かは、例えば、２つの各統計処理情報を用いて、当該２つの統計処理情報の類似の度合を示す類似度を算出し、当該類似度により判断する。つまり、端末識別子取得部１１０７は、例えば、類似度が予め決められた閾値以上であれば、当該２つの統計処理情報は類似すると判断する。また、端末識別子取得部１１０７は、例えば、類似度が予め決められた閾値未満であれば、当該２つの統計処理情報は類似しないと判断する。
【００６８】
また、類似度の算出の方法や手順などは、問わない。端末識別子取得部１１０７は、例えば、統計処理情報を用いて、他の統計処理情報と比較可能な情報を算出し、当該情報を用いて、類似度を算出する。また、当該「他の統計処理情報と比較可能な情報」は、例えば、統計処理情報をベクトル化した情報（以下、適宜、ベクトル情報）などである。また、当該「他の統計処理情報と比較できる情報」の算出方法は、通常、算出式などにより予め決められている。
【００６９】
例えば、統計処理情報が、位置情報と距離とを有する場合、端末識別子取得部１１０７は、例えば、当該位置情報と距離とを用いて、当該統計処理情報に対応するベクトル情報を算出する。また、統計処理情報が、位置情報と距離との組を２以上有する場合、端末識別子取得部１１０７は、例えば、当該２以上の組ごとに、当該組が有する位置情報と距離とを用いて、当該組に対応するベクトル情報を算出する。そして、端末識別子取得部１１０７は、例えば、当該２以上の各組に対応する２以上のベクトル情報の平均を算出し、当該統計処理情報に対応するベクトル情報を算出する。
【００７０】
また、端末識別子取得部１１０７は、例えば、統計処理情報を用いずに、類似度を算出してもよい。この場合、端末識別子取得部１１０７は、通常、ＰＯＩ情報格納部１１０１に格納されているＰＯＩ情報を用いる。具体的に、端末識別子取得部１１０７は、統計処理部１１０６と同様に、処理対象ＰＯＩ情報集合を用いて、類似度を算出する。
【００７１】
例えば、２つの処理対象ＰＯＩ情報集合（一方を集合Ａ、もう一方を集合Ｂとする）の類似度を算出する場合、端末識別子取得部１１０７は、例えば、当該２つの集合において共通するＰＯＩ情報の数や、当該２つの集合が有するＰＯＩ情報の数などを用いて、集合Ａ、集合Ｂのそれぞれに対応するベクトル情報を算出する。そして、端末識別子取得部１１０７は、当該２つのベクトル情報を用いて、集合Ａと集合Ｂの類似度を算出する。
【００７２】
また、端末識別子取得部１１０７は、通常、上記の様に、１つの統計処理情報に類似する１以上の各統計処理情報に対応する合計１以上の端末識別子を取得する。また、端末識別子取得部１１０７は、例えば、上記の様に、１つの端末識別子に対応する処理対象ＰＯＩ情報集合に類似する１以上の処理対象ＰＯＩ情報集合に対応する合計１以上の端末識別子を取得してもよい。
【００７３】
また、端末識別子取得部１１０７は、例えば、類似する２以上の各統計処理情報に対応する合計２以上の端末識別子を取得してもよい。また、端末識別子取得部１１０７は、例えば、類似する２以上の各処理対象ＰＯＩ情報集合に対応する合計２以上の端末識別子を取得してもよい。
【００７４】
ユーザ関連情報取得部１１０８は、端末識別子に対応するユーザ関連情報を、ユーザ管理情報格納部１１０３から取得する。当該端末識別子は、通常、端末識別子取得部１１０７が取得した１以上の各端末識別子である。ユーザ関連情報取得部１１０８は、通常、端末識別子取得部１１０７が取得した１つの端末識別子について、ユーザ管理情報格納部１１０３に格納されている１以上の端末識別子のうちのいずれに一致するか否かを判断する。そして、ユーザ関連情報取得部１１０８は、一致すると判断した端末識別子に対応付いているユーザ関連情報を、ユーザ管理情報格納部１１０３から取得する。
【００７５】
例えば、端末識別子取得部１１０７が取得した端末識別子が「ＩＤ０３」であるとする。また、ユーザ管理情報格納部１１０３に格納されているユーザ管理情報が、端末識別子「ＩＤ０３」とユーザ関連情報「ｕｓｅｒ０３」とが対応付いた情報であるとする。当該ユーザ関連情報は、ユーザ名である。この様な場合、ユーザ関連情報取得部１１０８は、当該２つの端末識別子が一致すると判断し、当該ユーザ関連情報を取得する。
【００７６】
ＰＯＩ属性情報取得部１１０９は、予め決められた条件（以下、適宜、ＰＯＩ条件）を満たす１以上の各ＰＯＩ情報から、予め決められた条件（以下、適宜、ＰＯＩ属性条件）を満たす１以上のＰＯＩ属性情報を取得する。つまり、ＰＯＩ属性情報取得部１１０９は、ＰＯＩ条件を満たす１つのＰＯＩ情報につき、ＰＯＩ属性条件を満たす１以上のＰＯＩ属性情報を取得する。なお、当該１以上のＰＯＩ情報は、ＰＯＩ情報格納部１１０１に格納されているＰＯＩ情報である。
【００７７】
上記「ＰＯＩ条件」とは、取得するＰＯＩ情報に関する条件である。言い換えると、ＰＯＩ条件とは、どのようなＰＯＩ情報を取得するのかを示す条件である。従って、ＰＯＩ条件は、通常、ＰＯＩ情報が有するＰＯＩ属性情報に関する条件である。また、ＰＯＩ条件は、例えば、ＰＯＩ情報に対応付いている情報に関する条件であってもよい。具体的に、ＰＯＩ条件は、例えば、位置情報が示す位置や、時刻情報が示す時刻、曜日情報が示す曜日、ＰＯＩ情報に対応付いている端末識別子などに関する条件である。
【００７８】
また、上記「位置に関する条件」は、例えば、以下のとおりである。
（ア）他の位置情報が示す位置との距離が予め決められた距離以下である位置を示す位置情報をＰＯＩ情報が有していること（他の位置情報が示す位置と、ＰＯＩ情報が有する位置情報が示す位置との距離が、予め決められた距離以下であること）
（イ）他の位置情報が示す位置が属する区域内の位置を示す位置情報をＰＯＩ情報が有していること（他の位置情報が示す位置と、ＰＯＩ情報が有する位置情報が示す位置とが、同一の区域内にあること）
（ウ）他の位置情報が示す位置が属する沿線上の位置を示す位置情報をＰＯＩ情報が有していること（他の位置情報が示す位置と、ＰＯＩ情報が有する位置情報が示す位置とが、同一の沿線上にあること）
【００７９】
また、上記「時刻に関する条件」は、例えば、以下のとおりである。
（ア）予め決められた時刻の範囲内の時刻を示す時刻情報をＰＯＩ情報が有していること（ＰＯＩ情報が有する時刻情報が示す時刻が、予め決められた時刻の範囲内であること）
（イ）他の時刻情報が示す時刻との差（時間）が予め決められた時間以下である時刻を示す時刻情報をＰＯＩ情報が有していること（他の時刻情報が示す時刻と、ＰＯＩ情報が有する時刻情報が示す時刻との差（時間）が、予め決められた時間以下であること）
【００８０】
また、上記「曜日に関する条件」は、例えば、以下のとおりである。
（ア）予め決められた曜日を示す曜日情報をＰＯＩ情報が有していること（ＰＯＩ情報が有する曜日情報が示す曜日が、予め決められた曜日であること）
（イ）他の曜日情報が示す曜日と同一または異なる曜日を示す曜日情報をＰＯＩ情報が有していること（他の曜日情報が示す曜日と、ＰＯＩ情報が有する曜日情報が示す曜日とが、同一または異なること）
【００８１】
また、上記「端末識別子に関する条件」は、例えば、以下のとおりである。
（ア）予め決められた端末識別子がＰＯＩ情報に対応付いている（ＰＯＩ情報に対応付いている端末識別子が、予め決められた端末識別子であること）
（イ）他の端末識別子と同一または異なる端末識別子がＰＯＩ情報に対応付いていること（他の端末識別子と、ＰＯＩ情報に対応付いている端末識別子とが、同一または異なること）
【００８２】
また、上記「ＰＯＩ属性条件」とは、取得するＰＯＩ属性情報に関する条件である。言い換えると、ＰＯＩ属性条件とは、どのような種類のＰＯＩ属性情報を取得するのかを示す条件である。従って、ＰＯＩ属性条件は、通常、ＰＯＩ属性情報の種類に関する条件である。具体的に、ＰＯＩ属性条件は、例えば、ＰＯＩ属性情報が位置情報であることや、ＰＯＩ属性情報が時刻情報であること、ＰＯＩ属性情報が曜日情報であることなどである。
【００８３】
また、上記のＰＯＩ条件の例において、「他の位置情報」や、「他の時刻情報」、「他の曜日情報」、「他の端末識別子」など、ＰＯＩ情報がＰＯＩ条件を満たすか否かを判断するために用いる情報は、通常、受信部１１０４が受信した情報や、統計処理部１１０６が取得した統計情報が有する情報、当該統計処理部に対応付いている情報などである。また、「他の端末識別子」は、例えば、端末識別子取得部１１０７が取得した端末識別子であってもよい。
【００８４】
以上より、ＰＯＩ属性情報取得部１１０９は、例えば、ＰＯＩ情報格納部１１０１に格納されている１以上の各ＰＯＩ情報について、受信位置情報や、受信端末識別子、統計処理情報が有する位置情報、統計処理情報に対応付いている端末識別子、端末識別子取得部１１０７が取得した端末識別子などとの関係が、ＰＯＩ条件を満たすか否かを判断する。そして、ＰＯＩ属性情報取得部１１０９は、ＰＯＩ条件を満たす場合に、当該ＰＯＩ情報から、ＰＯＩ属性条件を満たすＰＯＩ属性情報を取得する。
【００８５】
なお、２つの位置情報を用いて、当該２つの位置情報が示す位置間の距離を算出する方法や手順など、２つの時刻情報を用いて、当該２つの時刻情報が示す時刻間の時間を算出する方法や手順などは、公知であるので、詳細な説明を省略する。
【００８６】
広告情報取得部１１１０は、予め決められた条件（以下、適宜、広告条件）を満たす１以上の広告情報を、広告情報格納部１１０２から取得する。また、広告情報取得部１１１０は、通常、１つの統計処理情報につき、１以上の広告情報を取得する。つまり、広告情報取得部１１１０が取得する広告情報は、統計処理情報に対応する広告情報である。
【００８７】
上記「広告条件」とは、取得する広告情報に関する条件である。言い換えると、広告条件とは、どのような広告情報を取得するのかを示す条件である。従って、広告条件は、通常、広告情報に対応付いている情報に関する条件である。当該「広告情報に対応付いている情報」とは、例えば、場所特定情報や、時刻情報、曜日情報などである。具体的に、広告条件は、例えば、場所特定情報により特定される場所に関する条件や、時刻情報が示す時刻に関する条件、曜日情報が示す曜日に関する条件などである。
【００８８】
また、上記「場所に関する条件」は、例えば、以下のとおりである。
（ア）他の位置情報が示す位置との距離が予め決められた距離以下である場所を特定することが可能な場所特定情報が広告情報に対応付いていること（他の位置情報が示す位置と、広告情報に対応付いている場所特定情報により特定される場所との距離が、予め決められた距離以下であること）
（イ）他の位置情報が示す位置が属する区域内の場所を特定することが可能な場所特定情報が広告情報に対応付いていること（他の位置情報が示す位置と、広告情報に対応付いている場所特定情報により特定される場所とが、同一の区域内にあること）
（ウ）他の位置情報が示す位置が属する場所と同一の場所を特定することが可能な場所特定情報が広告情報に対応付いていること（他の位置情報が示す位置が属する場所と、広告情報に対応付いている場所特定情報により特定される場所とが、同一であること）
（エ）他の位置情報が示す位置が属する沿線上の場所を特定することが可能な場所特定情報が広告情報に対応付いていること（他の位置情報が示す位置と、広告情報に対応付いている場所特定情報により特定される場所とが、同一の沿線上にあること）
【００８９】
また、上記「時刻に関する条件」および「曜日に関する条件」は、それぞれ、「ＰＯＩ条件」における「時刻に関する条件」および「曜日に関する条件」と同様であるので、説明を省略する。
【００９０】
また、上記の広告条件の例において、「他の位置情報」や、「他の時刻情報」、「他の曜日情報」など、広告情報が広告条件を満たすか否かを判断するために用いる情報は、通常、統計処理部１１０６が取得した統計情報が有する情報である。
【００９１】
以上より、広告情報取得部１１１０は、例えば、広告情報格納部１１０２に格納されている１以上の各広告情報について、統計処理情報が有する位置情報や、統計処理情報が有する時刻情報、統計処理情報が有する曜日情報などとの関係が、広告条件を満たすか否かを判断する。そして、広告情報取得部１１１０は、広告条件を満たす場合に、当該広告情報を取得する。
【００９２】
送信部１１１１は、端末装置１２に、１種類以上の情報を送信する。当該「１種類以上の情報」を、以下、適宜、送信情報と表記する。送信情報は、例えば、ＰＯＩ属性情報や、広告情報、ユーザ関連情報などである。また、当該各送信情報は、それぞれ、ＰＯＩ属性情報取得部１１０９、広告情報取得部１１１０、ユーザ関連情報取得部１１０８が取得した情報である。また、当該各送信情報の数は、通常、１以上である。
【００９３】
また、送信部１１１１は、当該送信情報を、通常、端末識別子により識別される端末装置１２に送信する。当該端末識別子は、通常、受信端末識別子である。また、当該端末識別子は、例えば、統計処理情報に対応付いている端末識別子などであってもよい。当該統計処理情報は、通常、端末識別子の取得や、ユーザ関連情報の取得、広告情報の取得などに用いた対象統計処理情報である。
【００９４】
例えば、ユーザ関連情報取得部１１０８などが、受信部１１０４による受信情報の受信に応じて、ユーザ関連情報などを取得したとする。この場合、送信部１１１１は、通常、当該受信情報が有する端末識別子により識別される端末装置１２に、当該ユーザ関連情報などを送信する。
【００９５】
また、例えば、ユーザ関連情報取得部１１０８などが、受信部１１０４による受信情報の受信に関係なく、ユーザ関連情報などを取得したとする。この場合、送信部１１１１は、通常、当該ユーザ関連情報などの取得に用いた対象統計処理情報に対応付いている端末識別子により識別される端末装置１２に、当該ユーザ関連情報などを送信する。
【００９６】
端末装置１２の端末格納部１２０１には、端末識別子が格納される。端末識別子については、前述のとおりであるので、説明を省略する。
【００９７】
端末位置情報取得部１２０２は、端末装置１２の位置を示す位置情報（以下、適宜、端末位置情報）を取得する。端末位置情報取得部１２０２は、通常、定期的に端末位置情報を取得する。また、端末位置情報取得部１２０２は、例えば、端末位置情報を取得する指示を受信するたびに、端末位置情報を取得してもよい。
【００９８】
また、端末位置情報取得部１２０２は、通常、衛星航法システム（ＧＰＳ受信機など）や、移動体通信用の基地局から位置情報を受信する装置などから、端末位置情報を取得する。この場合、端末位置情報取得部１２０２は、これらの装置を有していてもよいし、これらの装置で実現され得てもよい。また、端末位置情報取得部１２０２の処理手順は、通常、ソフトウェアで実現され、当該ソフトウェアはＲＯＭ等の記録媒体に記録されている。
【００９９】
端末方向情報取得部１２０３は、端末装置１２の方向を示す方向情報（以下、適宜、端末方向情報）を取得する。端末方向情報取得部１２０３は、通常、定期的に端末方向情報を取得する。また、端末方向情報取得部１２０３は、例えば、端末方向情報を取得する指示を受信するたびに、端末方向情報を取得してもよい。
【０１００】
また、端末方向情報取得部１２０３は、通常、電子コンパスや、磁気センサなどから、端末角度情報を取得する。この場合、端末方向情報取得部１２０３は、これらの装置を有していてもよいし、これらの装置で実現され得てもよい。また、端末方向情報取得部１２０３の処理手順は、通常、ソフトウェアで実現され、当該ソフトウェアはＲＯＭ等の記録媒体に記録されている。
【０１０１】
端末角度情報取得部１２０４は、端末装置１２の角度を示す角度情報（以下、適宜、端末角度情報）を取得する。端末角度情報取得部１２０４は、通常、定期的に端末角度情報を取得する。また、端末角度情報取得部１２０４は、例えば、端末角度情報を取得する指示を受信するたびに、端末角度情報を取得してもよい。
【０１０２】
また、端末角度情報取得部１２０４は、通常、ジャイロセンサや、角速度センサなどから、端末角度情報を取得する。この場合、端末角度情報取得部１２０４は、これらの装置を有していてもよいし、これらの装置で実現され得てもよい。また、端末角度情報取得部１２０４の処理手順は、通常、ソフトウェアで実現され、当該ソフトウェアはＲＯＭ等の記録媒体に記録されている。
【０１０３】
端末撮影部１２０５は、撮影を行う。当該「撮影」とは、通常、いわゆるカメラや、ビデオカメラによる撮影である。また、端末撮影部１２０５は、撮影の結果である画像を取得する。当該画像は、通常、静止画であるが、動画であってもよい。また、端末撮影部１２０５は、通常、撮影を行う指示である撮影指示に従い、撮影を行う。なお、撮影指示は、通常、図示しない端末受付部が受け付ける。
【０１０４】
また、端末撮影部１２０５は、例えば、撮影時に、端末位置情報取得部１２０２に、端末位置情報を取得する指示を送信してもよい。また、端末撮影部１２０５は、端末方向情報取得部１２０３、端末角度情報取得部１２０４に対しても同様に、それぞれ、端末方向情報を取得する指示、端末角度情報を取得する指示を送信してもよい。
【０１０５】
また、端末撮影部１２０５は、通常、ＣＭＯＳやＣＣＤなどのイメージセンサ（固体撮像素子）や、イメージセンサを用いたカメラ（デジタルスチルカメラ、デジタルビデオカメラ）などで実現され得る。
【０１０６】
端末送信部１２０６は、サーバ装置１１に、１種類以上の情報を送信する。当該「１種類以上の情報」を、以下、適宜、端末送信情報と表記する。端末送信情報は、例えば、端末識別子や、端末位置情報、端末方向情報、端末角度情報、端末日時情報、端末曜日情報などである。
【０１０７】
上記「端末日時情報」とは、端末装置１２の日時を示す日時情報である。また、上記「端末曜日情報」とは、端末装置１２の曜日を示す曜日情報である。
【０１０８】
また、端末送信情報は、通常、少なくとも、端末識別子と端末位置情報とを有する。つまり、端末送信情報は、少なくとも、端末識別子と端末位置情報とを含む２種類以上の情報を有していればよく、当該情報の組み合わせは、問わない。当該端末送信情報が有する情報の組み合わせは、例えば、以下のとおりである。
（Ａ）端末識別子、端末位置情報
（Ｂ）端末識別子、端末位置情報、端末方向情報、端末角度情報
（Ｃ）端末識別子、端末位置情報、端末日時情報
（Ｄ）端末識別子、端末位置情報、端末方向情報、端末角度情報、端末日時情報
また、端末送信情報が２種類以上の情報を有している場合、当該２種類以上の情報は、対応付いていることが好適である。
【０１０９】
また、端末送信部１２０６は、通常、端末撮影部１２０５による撮影が行われた時に取得された端末送信情報を、サーバ装置１１に送信する。また、当該端末送信情報のうち、端末識別子については、端末送信情報を送信する直前に、端末送信部１２０６が端末格納部１２０１から取得する。
【０１１０】
また、端末送信部１２０６による端末送信情報の送信のタイミングは、問わない。当該タイミングは、通常、端末撮影部１２０５が撮影を行うたびであることが好適である。また、当該タイミングは、例えば、予め決められた時刻になるたび、予め決められた時間が経過するたびなどであってもよい。
【０１１１】
端末受信部１２０７は、サーバ装置１１から、１種類以上の情報を受信する。当該「１種類以上の情報」を、以下、適宜、端末受信情報と表記する。端末受信情報は、例えば、ＰＯＩ属性情報や、広告情報、ユーザ関連情報などである。また、当該各端末受信情報の数は、通常、１以上である。
【０１１２】
また、端末受信部１２０７は、通常、端末送信部１２０６による端末送信情報の送信に応じて、端末受信情報を受信することが好適である。つまり、端末送信情報の送信と、端末受信情報の受信とが、連動している（リアルタイムに行われる）ことが好適である。
【０１１３】
端末出力部１２０８は、端末受信部１２０７が受信した端末受信情報を出力する。当該出力時の様式や書式などは、問わない。当該出力時の様式や書式などは、例えば、リスト状や、タイル状などである。また、端末受信部１２０７が受信した端末受信情報が位置情報である場合、または受信した端末受信情報が位置情報を有している場合、端末出力部１２０８は、例えば、当該位置情報が示す地図上の位置に対応付けて、当該受信した情報を出力してもよい。このとき、地図を示す地図情報は、例えば、予め決められた記憶領域に格納されている。また、地図情報が示す地図の種類や、地図情報のデータ形式などは、問わない。
【０１１４】
また、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【０１１５】
また、端末出力部１２０８は、例えば、端末受信情報を、画像に重ねて出力してもよい。当該画像は、通常、端末撮影部１２０５が取得した画像である。また、当該画像は、例えば、端末撮影部１２０５を介して取り込まれた景色であってもよい。
【０１１６】
また、端末出力部１２０８は、ディスプレイやスピーカーなどの出力デバイスを含むと考えてもよいし、含まないと考えてもよい。端末出力部１２０８は、出力デバイスのドライバソフトまたは、出力デバイスのドライバソフトと出力デバイスなどで実現され得る。
【０１１７】
なお、ＰＯＩ情報格納部１１０１、広告情報格納部１１０２、ユーザ管理情報格納部１１０３、端末格納部１２０１は、不揮発性の記録媒体が好適であるが、揮発性の記録媒体でも実現可能である。また、ＰＯＩ情報格納部１１０１などに所定の情報が記憶される過程は、問わない。例えば、当該所定の情報は、記録媒体や、通信回線、入力デバイスなどを介してＰＯＩ情報格納部１１０１などに記憶されてもよい。
【０１１８】
また、受信部１１０４、端末受信部１２０７は、通常、無線または有線の通信手段で実現されるが、放送を受信する手段で実現されてもよい。
【０１１９】
また、蓄積部１１０５、統計処理部１１０６、端末識別子取得部１１０７、ユーザ関連情報取得部１１０８、ＰＯＩ属性情報取得部１１０９、広告情報取得部１１１０は、通常、ＭＰＵやメモリ等から実現され得る。また、蓄積部１１０５などの処理手順は、通常、ソフトウェアで実現され、当該ソフトウェアはＲＯＭ等の記録媒体に記録されている。なお、蓄積部１１０５などは、ハードウェア（専用回路）で実現されてもよい。
【０１２０】
また、送信部１１１１、端末送信部１２０６は、通常、無線または有線の通信手段で実現されるが、放送手段で実現されてもよい。
【０１２１】
また、サーバ装置１１から端末装置１２への送信情報の送信（端末装置１２による端末受信情報の受信）は、例えば、いわゆるプル型配信であってもよいし、プッシュ型配信であってもよい。
【０１２２】
（Ａ）プル型配信である場合：当該配信の方法は、端末送信部１２０６による端末送信情報の送信と、端末受信部１２０７による端末受信情報の受信とが、連動している（リアルタイムに行われる）場合である。この場合、統計処理部１１０６、端末識別子取得部１１０７、ユーザ関連情報取得部１１０８、ＰＯＩ属性情報取得部１１０９、広告情報取得部１１１０は、受信部１１０４による受信情報の受信に応じて、上記において説明した処理を行う。また、この場合、端末識別子取得部１１０７における対象統計処理情報は、受信端末識別子に対応する統計処理情報である。また、この場合、送信部１１１１が送信情報を送信する端末装置１２は、受信端末識別子により識別される端末装置１２である。
【０１２３】
（Ｂ）プッシュ型配信である場合：当該配信の方法は、端末送信部１２０６による端末送信情報の送信と、端末受信部１２０７による端末受信情報の受信とが、連動していない場合である。この場合、統計処理部１１０６、端末識別子取得部１１０７、ユーザ関連情報取得部１１０８、ＰＯＩ属性情報取得部１１０９、広告情報取得部１１１０は、受信部１１０４による受信情報の受信に関係なく、予め決められたタイミングで、上記において説明した処理を行う。当該「予め決められたタイミング」とは、例えば、予め決められた時刻になるたび、予め決められた時間が経過するたびなどである。また、この場合、送信部１１１１が送信情報を送信する端末装置１２は、例えば、ＰＯＩ情報格納部１１０１に格納されているＰＯＩ情報に対応付いている端末識別子により識別される１以上の端末装置１２である。また、当該端末識別子は、通常、統計処理部１１０６が取得した１以上の各統計処理情報に対応付いている端末識別子でもある。
【０１２４】
また、受信部１１０４は、例えば、端末装置１２から画像を受信してもよい。つまり、受信情報は、画像を有していてもよい。この場合、端末送信部１２０６は、通常、端末撮影部１２０５が取得した画像を、端末位置情報などと共に、サーバ装置１１に送信する。また、このとき、当該画像に対して、予め決められた画像処理が施されていてもよい。当該画像処理は、通常、いわゆるモザイクである。また、当該画像処理が施される対象は、例えば、当該画像における予め決められた対象である。当該「対象」とは、いわゆるプライバシーの保護や個人情報の保護などの対象となるものであり、人の顔や、ナンバープレート、表札などである。また、当該画像処理は、通常、図示しない画像処理部が行う。
【０１２５】
また、上記の場合、蓄積部１１０５は、例えば、受信部１１０４が受信した画像を用いて、ＰＯＩ情報を構成する。また、このとき、当該画像に上記の画像処理が施されていない場合、蓄積部１１０５は、当該画像に上記の画像処理を施してもよい。
【０１２６】
また、上記プル型配信により広告情報を受信した場合、端末受信部１２０７は、例えば、端末撮影部１２０５が取得した画像と対応付けて、当該受信した広告情報を予め決められた記憶領域に蓄積してもよい。また、当該予め決められた記憶領域に格納されている画像を端末出力部１２０８が画面出力する場合、端末出力部１２０８は、例えば、当該画像に重ねて、当該画像に対応付いている広告情報出力してもよい。また、当該画像を端末出力部１２０８がプリンタにより印刷する場合、端末出力部１２０８は、例えば、印刷用紙の一方の面に画像を印刷し、もう一方の面に広告情報を印刷してもよい。
【０１２７】
次に、位置情報利用システム１の全体動作について、フローチャートを用いて説明する。なお、所定の情報におけるｉ番目の情報は、「情報［ｉ］」と記載するものとする。まず、サーバ装置１１の全体動作について、図４のフローチャートを用いて説明する。なお、図４のフローチャートにおいて、ＰＯＩ情報格納部１１０１には、蓄積部１１０５によりＰＯＩ情報が蓄積された結果、ｍ個のＰＯＩ情報が格納されているものとする。また、当該ｍ個の各ＰＯＩ情報は、ｎ種類のＰＯＩ属性情報を有しているものとする。また、広告情報格納部１１０２には、ｐ個の広告情報が格納されているものとする。
【０１２８】
（ステップＳ４０１）蓄積部１１０５は、受信部１１０４が受信情報を受信したか否かを判断する。受信した場合は、ステップＳ４０２に進み、そうでない場合は、ステップＳ４０１に戻る。
【０１２９】
（ステップＳ４０２）蓄積部１１０５は、受信情報を用いて、ＰＯＩ情報を構成する。なお、例えば、受信情報が端末識別子を有している場合、蓄積部１１０５は、端末識別子以外の受信情報を用いてＰＯＩ情報を構成する。そして、蓄積部１１０５は、当該構成したＰＯＩ情報に、当該端末識別子を対応付ける。
【０１３０】
（ステップＳ４０３）蓄積部１１０５は、ステップＳ４０２で構成したＰＯＩ情報を、ＰＯＩ情報格納部１１０１に蓄積する。
【０１３１】
（ステップＳ４０４）ＰＯＩ属性情報取得部１１０９は、送信情報として取得する情報の種類がＰＯＩ属性情報であるか否かを判断する。当該判断は、例えば、送信情報として取得する情報の種類を示す情報が予め決められた記憶領域に格納されており、当該情報を用いて判断する。そして、ＰＯＩ属性情報である場合は、ステップＳ４０５に進み、そうでない場合は、ステップＳ４１５に進む。
【０１３２】
（ステップＳ４０５）ＰＯＩ属性情報取得部１１０９は、カウンタｉに１をセットする。
【０１３３】
（ステップＳ４０６）ＰＯＩ属性情報取得部１１０９は、受信情報との関係においてＰＯＩ情報［ｉ］がＰＯＩ条件を満たすか否かを判断する。満たす場合は、ステップＳ４０７に進み、そうでない場合は、ステップＳ４１２に進む。
【０１３４】
（ステップＳ４０７）ＰＯＩ属性情報取得部１１０９は、カウンタｊに１をセットする。
【０１３５】
（ステップＳ４０８）ＰＯＩ属性情報取得部１１０９は、ＰＯＩ情報［ｉ］が有するｊ番目のＰＯＩ属性情報であるＰＯＩ属性情報［ｉ］［ｊ］がＰＯＩ属性条件を満たすか否かを判断する。満たす場合は、ステップＳ４０９に進み、そうでない場合は、ステップＳ４１０に進む。
【０１３６】
（ステップＳ４０９）ＰＯＩ属性情報取得部１１０９は、ＰＯＩ属性情報［ｉ］［ｊ］を取得する。
【０１３７】
（ステップＳ４１０）ＰＯＩ属性情報取得部１１０９は、ｊがｎであるか否かを判断する。ｎである場合は、ステップＳ４１２に進み、そうでない場合は、ステップＳ４１１に進む。
【０１３８】
（ステップＳ４１１）ＰＯＩ属性情報取得部１１０９は、ｊを１インクリメントする。そして、ステップＳ４０８に戻る。
【０１３９】
（ステップＳ４１２）ＰＯＩ属性情報取得部１１０９は、ｉがｍであるか否かを判断する。ｍである場合は、ステップＳ４１４に進み、そうでない場合は、ステップＳ４１３に進む。
【０１４０】
（ステップＳ４１３）ＰＯＩ属性情報取得部１１０９は、ｉを１インクリメントする。そして、ステップＳ４０６に戻る。
【０１４１】
（ステップＳ４１４）送信部１１１１は、ステップＳ４０９で取得した１以上のＰＯＩ属性情報を、受信端末識別子により識別される端末装置１２に送信する。
【０１４２】
（ステップＳ４１５）広告情報取得部１１１０は、送信情報として取得する情報の種類が広告情報であるか否かを判断する。当該判断の処理は、ステップＳ４０４での処理と同様であるので、説明を省略する。そして、広告情報である場合は、ステップＳ４１６に進み、そうでない場合は、ステップＳ４２４に進む。
【０１４３】
（ステップＳ４１６）統計処理部１１０６は、受信端末識別子に対応する処理対象ＰＯＩ情報集合を取得する。
【０１４４】
（ステップＳ４１７）統計処理部１１０６は、ステップＳ４１６で取得した処理対象ＰＯＩ情報集合に対して統計処理を行う。そして、統計処理部１１０６は、受信端末識別子に対応する統計処理情報を取得する。
【０１４５】
（ステップＳ４１８）広告情報取得部１１１０は、カウンタｉに１をセットする。
【０１４６】
（ステップＳ４１９）広告情報取得部１１１０は、ステップＳ４１７で取得した統計処理情報との関係において広告情報［ｉ］が広告条件を満たすか否かを判断する。満たす場合は、ステップＳ４２０に進み、そうでない場合は、ステップＳ４２１に進む。
【０１４７】
（ステップＳ４２０）広告情報取得部１１１０は、広告情報［ｉ］を取得する。
【０１４８】
（ステップＳ４２１）広告情報取得部１１１０は、ｉがｐであるか否かを判断する。ｐである場合は、ステップＳ４２３に進み、そうでない場合は、ステップＳ４２２に進む。
【０１４９】
（ステップＳ４２２）広告情報取得部１１１０は、ｉを１インクリメントする。そして、ステップＳ４１９に戻る。
【０１５０】
（ステップＳ４２３）送信部１１１１は、ステップＳ４２０で取得した広告情報を、受信端末識別子により識別される端末装置１２に送信する。
【０１５１】
（ステップＳ４２４）ユーザ関連情報取得部１１０８および送信部１１１１は、ユーザ関連情報の取得と送信とを行う。この処理の詳細は、図５のフローチャートを用いて説明する。
【０１５２】
なお、図４のフローチャートにおいて、電源オフや処理終了の割り込みにより処理を終了してもよい。
【０１５３】
図５は、図４のフローチャートのステップＳ４２４のユーザ関連情報の取得と送信処理を示すフローチャートである。なお、図５のフローチャートにおいて、ＰＯＩ情報格納部１１０１に格納されているＰＯＩ情報には、ｑ個の端末識別子のうちのいずれかが対応付いているものとする。
【０１５４】
（ステップＳ５０１）統計処理部１１０６は、ＰＯＩ情報格納部１１０１に格納されているｑ個の各端末識別子に対応する処理対象ＰＯＩ情報集合を取得する。
【０１５５】
（ステップＳ５０２）統計処理部１１０６は、カウンタｉに１をセットする。
【０１５６】
（ステップＳ５０３）統計処理部１１０６は、処理対象ＰＯＩ情報集合［ｉ］に対して統計処理を行う。そして、統計処理部１１０６は、端末識別子［ｉ］に対応する統計処理情報を取得する。
【０１５７】
（ステップＳ５０４）統計処理部１１０６は、ｉがｑであるか否かを判断する。ｑである場合は、ステップＳ５０６に進み、そうでない場合は、ステップＳ５０５に進む。
【０１５８】
（ステップＳ５０５）統計処理部１１０６は、ｉを１インクリメントする。そして、ステップＳ５０３に戻る。
【０１５９】
（ステップＳ５０６）端末識別子取得部１１０７は、ステップＳ５０３で取得したｑ個の統計処理情報から、１個の対象統計処理情報を取得する。
【０１６０】
（ステップＳ５０７）端末識別子取得部１１０７は、カウンタｉに１をセットする。
【０１６１】
（ステップＳ５０８）端末識別子取得部１１０７は、統計処理情報［ｉ］が対象統計処理情報に類似するか否かを判断する。類似する場合は、ステップＳ５０９に進み、そうでない場合は、ステップＳ５１０に進む。
【０１６２】
（ステップＳ５０９）端末識別子取得部１１０７は、統計処理情報［ｉ］に対応付いている端末識別子である端末識別子［ｉ］を取得する。なお、ここで、当該処理が繰り返されることにより、合計ｒ個の端末識別子が取得できたものとする。
【０１６３】
（ステップＳ５１０）端末識別子取得部１１０７は、ｉがｑ−１であるか否かを判断する。ｑ−１である場合は、ステップＳ５１２に進み、そうでない場合は、ステップＳ５１１に進む。
【０１６４】
（ステップＳ５１１）端末識別子取得部１１０７は、ｉを１インクリメントする。そして、ステップＳ５０８に戻る。
【０１６５】
（ステップＳ５１２）ユーザ関連情報取得部１１０８は、カウンタｉに１をセットする。
【０１６６】
（ステップＳ５１３）ユーザ関連情報取得部１１０８は、ステップＳ５０９で取得した端末識別子［ｉ］に対応するユーザ関連情報を、ユーザ管理情報格納部１１０３から取得する。
【０１６７】
（ステップＳ５１４）ユーザ関連情報取得部１１０８は、ｉがｒであるか否かを判断する。ｒである場合は、ステップＳ５１６に進み、そうでない場合は、ステップＳ５１５に進む。
【０１６８】
（ステップＳ５１５）ユーザ関連情報取得部１１０８は、ｉを１インクリメントする。そして、ステップＳ５１３に戻る。
【０１６９】
（ステップＳ５１６）送信部１１１１は、ステップＳ５１３で取得したユーザ関連情報を、ステップＳ５０６で取得した対象統計処理情報に対応する端末識別子により識別される端末装置１２に送信する。
【０１７０】
また、図４のフローチャートのステップＳ４２４において、１つの統計処理情報に類似する１以上の各統計処理情報に対応する１以上のＰＯＩ属性情報を取得する場合、当該ＰＯＩ属性情報の取得処理を示すフローチャートは、図６である。なお、図６のフローチャートにおいて、ステップＳ６０１からステップＳ６１０までの各処理は、図５のフローチャートのステップＳ５０１からステップＳ５１０までの各処理と同様であるので、説明を省略する。また、ＰＯＩ情報格納部１１０１には、蓄積部１１０５によりＰＯＩ情報が蓄積された結果、ｍ個のＰＯＩ情報が格納されているものとする。また、当該ｍ個の各ＰＯＩ情報は、ｎ種類のＰＯＩ属性情報を有しているものとする。
【０１７１】
（ステップＳ６１２）ＰＯＩ属性情報取得部１１０９は、カウンタｉに１をセットする。
【０１７２】
（ステップＳ６１３）ＰＯＩ属性情報取得部１１０９は、カウンタｊに１をセットする。
【０１７３】
（ステップＳ６１４）ＰＯＩ属性情報取得部１１０９は、ＰＯＩ情報［ｊ］が、ステップＳ６０９で取得した端末識別子［ｉ］に対応するＰＯＩ情報であるか否かを判断する。当該判断は、例えば、ＰＯＩ情報［ｊ］に対応付いている端末識別子が、ステップＳ６０９で取得した端末識別子［ｉ］と同一であるか否かを判断することと同様である。そして、端末識別子［ｉ］に対応するＰＯＩ情報である場合は、ステップＳ６１５に進み、そうでない場合は、ステップＳ６２０に進む。
ＰＯＩ属性情報取得部１１０９は、
【０１７４】
（ステップＳ６１５）ＰＯＩ属性情報取得部１１０９は、カウンタｋに１をセットする。
【０１７５】
（ステップＳ６１６）ＰＯＩ属性情報取得部１１０９は、ＰＯＩ情報［ｊ］が有するｋ番目のＰＯＩ属性情報であるＰＯＩ属性情報［ｊ］［ｋ］がＰＯＩ属性条件を満たすか否かを判断する。満たす場合は、ステップＳ６１７に進み、そうでない場合は、ステップＳ６１８に進む。
【０１７６】
（ステップＳ６１７）ＰＯＩ属性情報取得部１１０９は、ＰＯＩ属性情報［ｊ］［ｋ］を取得する。
【０１７７】
（ステップＳ６１８）ＰＯＩ属性情報取得部１１０９は、ｋがｎであるか否かを判断する。ｋである場合は、ステップＳ６２０に進み、そうでない場合は、ステップＳ６１９に進む。
【０１７８】
（ステップＳ６１９）ＰＯＩ属性情報取得部１１０９は、ｋを１インクリメントする。そして、ステップＳ６１６に戻る。
【０１７９】
（ステップＳ６２０）ＰＯＩ属性情報取得部１１０９は、ｊがｍであるか否かを判断する。ｍである場合は、ステップＳ６２２に進み、そうでない場合は、ステップＳ６２１に進む。
【０１８０】
（ステップＳ６２１）ＰＯＩ属性情報取得部１１０９は、ｊを１インクリメントする。そして、ステップＳ６１４に戻る。
【０１８１】
（ステップＳ６２２）ＰＯＩ属性情報取得部１１０９は、ｉがｒであるか否かを判断する。ｒである場合は、ステップＳ６２４に進み、そうでない場合は、ステップＳ６２３に進む。
【０１８２】
（ステップＳ６２３）ＰＯＩ属性情報取得部１１０９は、ｉを１インクリメントする。そして、ステップＳ６１３に戻る。
【０１８３】
（ステップＳ６２４）送信部１１１１は、ステップＳ６１７で取得したＰＯＩ属性情報を、ステップＳ６０６で取得した対象統計処理情報に対応する端末識別子により識別される端末装置１２に送信する。
【０１８４】
次に、端末装置１２の全体動作について、図７のフローチャートを用いて説明する。
【０１８５】
（ステップＳ７０１）端末装置１２は、図示しない受付部が電源ＯＮの指示を受け付けたか否かを判断する。受け付けた場合は、ステップＳ７０２に進み、そうでない場合は、ステップＳ７０１に戻る。
【０１８６】
（ステップＳ７０２）端末装置１２は、電源ＯＮの処理を行う。
【０１８７】
（ステップＳ７０３）端末位置情報取得部１２０２は、端末位置情報の取得を開始する。以降、端末位置情報取得部１２０２は、通常、端末装置１２の電源がＯＦＦになるまで、端末位置情報を定期的に取得し続ける。
【０１８８】
（ステップＳ７０４）端末方向情報取得部１２０３は、端末方向情報の取得を開始する。以降、端末方向情報取得部１２０３は、通常、端末装置１２の電源がＯＦＦになるまで、端末方向情報を定期的に取得し続ける。
【０１８９】
（ステップＳ７０５）端末角度情報取得部１２０４は、端末角度情報の取得を開始する。以降、端末角度情報取得部１２０４は、通常、端末装置１２の電源がＯＦＦになるまで、端末角度情報を定期的に取得し続ける。
【０１９０】
（ステップＳ７０６）端末撮影部１２０５は、図示しない受付部が撮影指示を受け付けたか否かを判断する。受け付けた場合は、ステップＳ７０７に進み、そうでない場合は、ステップＳ７０６に戻る。
【０１９１】
（ステップＳ７０７）端末撮影部１２０５は、撮影を行う。そして、端末撮影部１２０５は、当該撮影の結果を示す画像を取得する。
【０１９２】
（ステップＳ７０８）端末送信部１２０６は、端末送信情報を送信する。
【０１９３】
（ステップＳ７０９）端末出力部１２０８は、端末受信部１２０７が端末受信情報を受信したか否かを判断する。受信した場合は、ステップＳ７１０に進み、そうでない場合は、ステップＳ７０９に戻る。
【０１９４】
（ステップＳ７１０）端末出力部１２０８は、端末受信情報を出力する。
【０１９５】
（ステップＳ７１１）端末装置１２は、図示しない受付部が電源ＯＦＦの指示を受け付けたか否かを判断する。受け付けた場合は、ステップＳ７１２に進み、そうでない場合は、ステップＳ７０６に戻る。
【０１９６】
（ステップＳ７１２）端末装置１２は、電源ＯＦＦの処理を行う。そして、ステップＳ７０１に戻る。
【０１９７】
なお、図７のフローチャートにおいて、電源オフや処理終了の割り込みにより処理を終了してもよい。
【０１９８】
（具体例）
次に、位置情報利用システム１の動作の具体例について説明する。
【０１９９】
（例１）
本例において、ＰＯＩ情報を蓄積する例について説明する。
【０２００】
まず、ユーザが端末装置１２を操作し、撮影を行ったとする。すると、端末撮影部１２０５は、撮影を行い、画像を取得する。また、このとき、端末装置１２が備える端末位置情報取得部１２０２、端末方向情報取得部１２０３、端末角度情報取得部１２０４は、それぞれ、定期的に、端末位置情報、端末方向情報、端末角度情報を取得している。
【０２０１】
次に、端末送信部１２０６は、当該撮影時に取得された端末位置情報、端末方向情報、端末角度情報を、サーバ装置１１に送信する。また、このとき、端末格納部１２０１に端末識別子が格納されている場合、端末送信部１２０６は、当該端末識別子も併せて送信する。
【０２０２】
次に、サーバ装置１１が備える受信部１１０４は、端末位置情報、端末方向情報、端末角度情報を受信する。
【０２０３】
次に、蓄積部１１０５は、受信部１１０４が受信した端末位置情報、端末方向情報、端末角度情報を対応付け、ＰＯＩ情報を構成する。そして、蓄積部１１０５は、当該ＰＯＩ情報を、ＰＯＩ情報格納部１１０１に蓄積する。また、このとき、受信部１１０４が端末識別子も併せて受信した場合、蓄積部１１０５は、当該構成したＰＯＩ情報に当該端末識別子を対応付けて、当該ＰＯＩ情報をＰＯＩ情報格納部１１０１に蓄積する。
【０２０４】
また、ＰＯＩ情報の構成に際して、蓄積部１１０５は、例えば、予め決められた名称情報および種類情報をも対応付け、ＰＯＩ情報を構成してもよい。当該名称情報は、例えば、蓄積される順序に応じて変化する情報である。当該名称情報は、例えば、ＲＤＢ（リレーショナル・データ・ベース）におけるシーケンス番号である。また、蓄積部１１０５が蓄積するＰＯＩ情報は、通常、撮影ポイントに関するＰＯＩ情報である。従って、種類情報は、通常、固定である。
【０２０５】
また、ＰＯＩ情報の構成に際して、蓄積部１１０５は、例えば、地点情報が有する名称情報を取得し、当該名称情報を対応付けて、ＰＯＩ情報を構成してもよい。この場合、蓄積部１１０５は、例えば、位置情報および名称情報を有する１以上の地点情報を予め保持している。そして、蓄積部１１０５は、受信位置情報との関係が予め決められた条件を満たす位置情報を有する地点情報を選択する。そして、当該選択した地点情報が有する名称情報を有する。なお、当該「受信位置情報との関係」とは、通常、距離である。つまり、蓄積部１１０５は、例えば、受信位置情報が示す位置との距離が予め決められた距離以下である位置を示す位置情報を有する地点情報を選択する。
【０２０６】
また、蓄積部１１０５は、通常、受信部１１０４が受信情報を受信するたびに、ＰＯＩ情報を構成し、当該ＰＯＩ情報をＰＯＩ情報格納部１１０１に蓄積する。当該蓄積されたＰＯＩ情報は、例えば、図８である。図８において、ＰＯＩ情報は、名称情報（項目名：名称）と、種類情報（項目名：種類）と、位置情報（項目名：位置）と、方向情報（項目名：方向）と、角度情報（項目名：角度）とを有する。また、当該ＰＯＩ情報には、レコードを一意に特定するためのＩＤと、端末識別子（項目名：端末）とが対応付いている。
【０２０７】
また、図８の「ＩＤ＝０１２」、「ＩＤ＝０１６」、「ＩＤ＝０２０」のＰＯＩ情報が有する名称情報は、上記地点情報から取得した名称情報である。また、当該３つのＰＯＩ情報以外のＰＯＩ情報が有する名称情報は、上記蓄積される順序に応じて変化する情報である。
【０２０８】
（例２）
本例において、統計処理情報を取得する例について説明する。なお、本例において、ＰＯＩ情報格納部１１０１には、図８に示すＰＯＩ情報が格納されているものとする。また、統計処理の内容は、撮影場所の特定および当該撮影場所における撮影回数のカウントであるものとする。また、当該撮影場所は、領域であるものとする。また、統計処理部１１０６は、予め決められた時刻になるたびに、統計処理を行うものとする。
【０２０９】
まず、予め決められた時刻になったため、統計処理部１１０６は、統計処理を行うタイミングであると判断する。
【０２１０】
次に、統計処理部１１０６は、図８の各ＰＯＩ情報に対応付いている端末識別子を取得する。このとき、統計処理部１１０６は、通常、重複なく端末識別子を取得する。この結果、統計処理部１１０６は、「１０．１２８．１２．１２３」、「１０．１２８．１１．６８」、「１０．１２８．１０．１２４」、「１０．１２８．１２．９８」、「１０．１２８．１１．１００」の５個の端末識別子を取得する。
【０２１１】
次に、統計処理部１１０６は、当該５個の端末識別子ごとに、当該端末識別子が対応付いているＰＯＩ情報が有する位置情報を取得する。例えば、上記「１０．１２８．１２．１２３」の端末識別子についてであれば、統計処理部１１０６は、当該端末識別子が対応付いている図８の「ＩＤ＝０１１」、「ＩＤ＝０１２」、「ＩＤ＝０１３」の３つのＰＯＩ情報が有する「（Ｎ３５．１２３４，Ｅ１３５．１３４５）」、「（Ｎ３５．１２４３，Ｅ１３５．１３５４）」、「（Ｎ３５．１３２４，Ｅ１３５．１４３５）」の３つの位置情報を取得する。この結果、統計処理部１１０６は、上記５個の端末識別子ごとに、合計５個の処理対象ＰＯＩ情報集合を取得する。
【０２１２】
次に、統計処理部１１０６は、取得した５個の各処理対象ＰＯＩ情報集合に対して、統計処理を行う。例えば、端末識別子「１０．１２８．１２．１２３」に対応する処理対象ＰＯＩ情報集合についてであれば、統計処理部１１０６は、まず、当該処理対象ＰＯＩ情報集合が有する３つの位置情報を用いて、当該３つの位置情報の平均を算出する。当該平均は、位置情報である。そして、統計処理部１１０６は、当該平均の位置情報が示す位置と、上記処理対象ＰＯＩ情報集合が有する３つの各位置情報が示す位置との距離を算出する。そして、統計処理部１１０６は、当該算出した３つの距離のうち、最大の距離を取得する。当該平均の位置情報と、当該最大の距離とが、撮影された場所を示す情報である。言い換えると、当該２つの情報は、撮影された場所の中心の位置と、当該中心の位置からの距離（半径）を示す情報である。
【０２１３】
次に、統計処理部１１０６は、処理対象ＰＯＩ情報集合が有する位置情報の数をカウントする。当該位置情報の数が、撮影回数を示す情報（以下、適宜、撮影回数情報）である。
【０２１４】
上記の様にして、統計処理部１１０６は、取得した５個の各処理対象ＰＯＩ情報集合に対して統計処理を行い、５個の統計処理情報を取得する。当該取得された統計処理情報は、例えば、図９である。図９において、統計処理情報は、場所特定情報（項目名：エリア）と、撮影回数情報（項目名：回数）とを有する。また、当該統計処理情報には、レコードを一意に特定するためのＩＤと、端末識別子（項目名：端末）とが対応付いている。
【０２１５】
（例３）
本例において、ユーザ関連情報の取得の例について説明する。なお、本例において、ユーザ管理情報格納部１１０３には、図１０に示すユーザ管理情報が格納されているものとする。図１０において、ユーザ管理情報は、端末識別子（項目名：端末）と、ユーザ関連情報（項目名：ユーザ）とを有する。また、当該ユーザ管理情報には、レコードを一意に特定するためのＩＤが対応付いている。また、統計処理部１１０６は、図９の統計処理情報を取得しているものとする。
【０２１６】
まず、端末識別子取得部１１０７は、図９の５個の統計処理情報のうち、「ＩＤ＝０１１」の統計処理情報を、対象統計処理情報とする。
【０２１７】
次に、端末識別子取得部１１０７は、当該「ＩＤ＝０１１」の対象統計処理情報と、他の４個の統計処理情報との類似度を算出する。当該統計処理情報は、場所特定情報と、撮影回数情報とを有する。従って、端末識別子取得部１１０７は、当該場所特定情報が示す場所の面積や、当該場所の重なりの度合、当該撮影回数情報が示す撮影回数の差などを用いて、類似度を算出する。この結果、端末識別子取得部１１０７は、図９の「ＩＤ＝０１１」の統計処理情報と、図９の「ＩＤ＝０１５」の統計処理情報とが類似すると判断したものとする。そして、端末識別子取得部１１０７は、図９の「ＩＤ＝０１５」に対応付いている端末識別子「１０．１２８．１１．１００」を取得する。
【０２１８】
次に、ユーザ関連情報取得部１１０８は、図１０のユーザ管理情報から、端末識別子「１０．１２８．１１．１００」が対応付いている「ＩＤ＝０１５」のユーザ関連情報「ｕｓｅｒ０１５」を取得する。
【０２１９】
次に、送信部１１１１は、図９の「ＩＤ＝０１１」の端末識別子「１０．１２８．１２．１２３」により識別される端末装置１２に、ユーザ関連情報取得部１１０８が取得したユーザ関連情報「ｕｓｅｒ０１５」を送信する。
【０２２０】
また、端末識別子取得部１１０７およびユーザ関連情報取得部１１０８は、図９の「ＩＤ＝０１５」の端末識別子に対して、上記と同様に、図１０のユーザ管理情報から、「ＩＤ＝０１１」のユーザ関連情報「ｕｓｅｒ０１１」を取得する。そして、送信部１１１１は、端末識別子「１０．１２８．１１．１００」により識別される端末装置１２に、ユーザ関連情報「ｕｓｅｒ０１１」を送信する。
【０２２１】
また、統計処理情報が、各位置における撮影回数を示す情報である場合、端末識別子取得部１１０７は、当該２つの統計処理情報間の類似度について、当該２つの統計処理情報間において距離が近い位置の数や、当該位置における撮影回数の差などを用いて、類似度を算出する。
【０２２２】
（例４）
本例において、受信位置情報に対応するＰＯＩ属性情報を取得する例について説明する。なお、本例において、ＰＯＩ情報格納部１１０１には、図８に示すＰＯＩ情報が格納されているものとする。また、ＰＯＩ条件は、「距離≦２ｋｍ」であるものとする。当該ＰＯＩ条件は、ＰＯＩ情報が、ある１つの位置（本例では、受信位置情報が示す位置）からの距離が２ｋｍ以下である位置を示す位置情報を有することを意味する。また、ＰＯＩ属性条件は、「ＰＯＩ属性＝名称」であるものとする。当該ＰＯＩ属性条件は、ＰＯＩ属性情報が名称情報であることを意味する。
【０２２３】
まず、受信部１１０４が、例１と同様に、位置情報などの受信情報を受信したものとする。また、受信部１１０４は、端末識別子「１０．１１２．１２．１０」も併せて受信したものとする。
【０２２４】
次に、ＰＯＩ属性情報取得部１１０９は、受信位置情報と図８の１２個の各ＰＯＩ情報が有する位置情報とを用いて、当該１２個の各ＰＯＩ情報に対する当該受信位置情報が示す位置からの距離（合計１２個）を算出する。
【０２２５】
次に、ＰＯＩ属性情報取得部１１０９は、算出した１２個の各距離が、ＰＯＩ条件「距離≦２ｋｍ」を満たすか否かを判断する。この結果、ＰＯＩ属性情報取得部１１０９は、図８の１２個のＰＯＩ情報のうち、「ＩＤ＝０１１」、「ＩＤ＝０１２」、「ＩＤ＝０１９」、「ＩＤ＝０２０」の４個のＰＯＩ情報に対応する距離について、当該ＰＯＩ条件を満たすと判断したものとする。
【０２２６】
次に、ＰＯＩ属性情報取得部１１０９は、図８の「ＩＤ＝０１１」、「ＩＤ＝０１２」、「ＩＤ＝０１９」、「ＩＤ＝０２０」の４個のＰＯＩ情報のそれぞれから、名称情報を取得する。当該取得した４個の名称情報は、「撮影ポイント０１１」、「βランド」、「撮影ポイント０１９」、「βの滝」である。
【０２２７】
次に、送信部１１１１は、端末識別子「１０．１１２．１２．１０」により識別される端末装置１２に、上記４個の名称情報「撮影ポイント０１１」、「βランド」、「撮影ポイント０１９」、「βの滝」を送信する。
【０２２８】
（例５）
本例において、統計処理情報を用いてＰＯＩ属性情報を取得する例について説明する。なお、本例において、ＰＯＩ情報格納部１１０１には、図８に示すＰＯＩ情報が格納されているものとする。また、ＰＯＩ条件は、「端末識別子＝同一」であるものとする。当該ＰＯＩ条件は、ＰＯＩ情報に、予め決められた端末識別子（本例では、端末識別子取得部１１０７が取得した端末識別子）と同一の端末識別子が対応付いていることを意味する。また、ＰＯＩ属性条件は、「ＰＯＩ属性＝（名称，位置）」であるものとする。当該ＰＯＩ属性条件は、ＰＯＩ属性情報が名称情報と位置情報であることを意味する。
【０２２９】
まず、端末識別子取得部１１０７が、例３と同様の処理を行った結果、２つの端末識別子「１０．１２８．１２．１２３」、「１０．１２８．１１．１００」を取得したものとする。
【０２３０】
次に、ＰＯＩ属性情報取得部１１０９は、図８の１２個のＰＯＩ情報のうち、ＩＤ＝「０１１」、「ＩＤ＝０１２」、「ＩＤ＝０１３」、「ＩＤ＝０２１」、「ＩＤ＝０２２」のＰＯＩ情報に、端末識別子取得部１１０７が取得した２つの端末識別子「１０．１２８．１２．１２３」、「１０．１２８．１１．１００」のいずれかが対応付いていると判断する。つまり、ＰＯＩ属性情報取得部１１０９は、当該５個のＰＯＩ属性情報について、ＰＯＩ条件「端末識別子＝同一」を満たすと判断する。
【０２３１】
次に、ＰＯＩ属性情報取得部１１０９は、図８のＩＤ＝「０１１」、「ＩＤ＝０１２」、「ＩＤ＝０１３」、「ＩＤ＝０２１」、「ＩＤ＝０２２」の５個のＰＯＩ情報のそれぞれから、名称情報と位置情報とを取得する。当該５個の名称情報と位置情報は、「撮影ポイント０１１，（Ｎ３５．１２３４，Ｅ１３５．１３４５）」、「βランド，（Ｎ３５．１２４３，Ｅ１３５．１３５４）」、「撮影ポイント０１３，（Ｎ３５．１３２４，Ｅ１３５．１４３５）」、「撮影ポイント０２１，（Ｎ３５．１３２４，Ｅ１３５．１３４５）」、「撮影ポイント０２２，（Ｎ３５．１３４２，Ｅ１３５．１３５４）」である。
【０２３２】
次に、送信部１１１１は、上記の５個の名称情報と位置情報とを、端末装置１２に送信する。ここで、端末識別子取得部１１０７が端末識別子を取得する際に対象統計処理情報とした統計処理情報に対応付いている端末識別子が「１０．１１２．１２．１０」であるとする。この場合、送信部１１１１は、当該端末識別子「１０．１１２．１２．１０」により識別される端末装置１２に、上記５個の名称情報と位置情報「撮影ポイント０１１，（Ｎ３５．１２３４，Ｅ１３５．１３４５）」、「βランド，（Ｎ３５．１２４３，Ｅ１３５．１３５４）」、「撮影ポイント０１３，（Ｎ３５．１３２４，Ｅ１３５．１４３５）」、「撮影ポイント０２１，（Ｎ３５．１３２４，Ｅ１３５．１３４５）」、「撮影ポイント０２２，（Ｎ３５．１３４２，Ｅ１３５．１３５４）」を送信する。
【０２３３】
（例６）
本例において、広告情報を取得する例について説明する。なお、本例において、広告情報格納部１１０２には、図１１に示す広告情報が格納されているものとする。当該広告情報（項目名：広告）には、レコードを一意に特定するためのＩＤと、場所特定情報（項目名：場所）とが対応付いている。また、広告条件は、「広告場所＝所定場所内」であるものとする。当該広告条件は、広告情報に、予め決められた場所（本例では、統計処理情報が示す場所）内の場所を示す場所特定情報が対応付いていることを意味する。
【０２３４】
まず、受信部１１０４が、例４と同様に、位置情報や端末識別子などの受信情報を受信したものとする。
【０２３５】
次に、統計処理部１１０６は、受信部１１０４が受信した端末識別子と同一の端末識別子が対応付いた１以上のＰＯＩ情報を、ＰＯＩ情報格納部１１０１から取得する。そして、統計処理部１１０６は、当該１以上のＰＯＩ情報に対して統計処理を行い、図９に示す統計処理情報と同様の統計処理情報を取得する。
【０２３６】
次に、広告情報取得部１１１０は、図１１の５個の各広告情報について、統計処理部１１０６が取得した統計処理情報が示す場所内の場所を示す場所特定情報が対応付いているか否かを判断する。この結果、広告情報取得部１１１０は、図１１の「ＩＤ＝０１１」と「ＩＤ＝０１４」の２つの広告情報について、上記の場所特定情報が対応付いていると判断したものとする。
【０２３７】
次に、広告情報取得部１１１０は、図１１の「ＩＤ＝０１１」と「ＩＤ＝０１４」の２つの広告情報「ａｄｓ０１１．ｊｐｇ」、「ａｄｓ０１４．ｊｐｇ」の２つの広告情報を取得する。当該広告情報は、広告を示す画像のファイル名である。また、当該ファイル名で識別される画像は、広告情報格納部１１０２に格納されており、広告情報取得部１１１０は、実際には、当該画像を取得する。
【０２３８】
次に、送信部１１１１は、広告情報取得部１１１０が取得した２つの広告情報「ａｄｓ０１１．ｊｐｇ」、「ａｄｓ０１４．ｊｐｇ」を、受信部１１０４が受信した端末識別子により識別される端末装置１２に送信する。
【０２３９】
（例７）
次に、端末受信情報を出力する例について説明する。
【０２４０】
まず、端末受信部１２０７が、端末撮影部１２０５が撮影を行った結果、端末送信部１２０６が端末送信情報を送信し、それに応じて、ユーザ関連情報を受信したとする。すると、端末出力部１２０８は、当該ユーザ関連情報を、画面に出力する。このときの様子は、例えば、図１２である。図１２において、ユーザ関連情報は、画面の下段に出力されている。また、図１２において、画面の上段の画像は、端末撮影部１２０５が取得した画像または端末撮影部１２０５を介して取り込まれた景色である。
【０２４１】
また、端末受信部１２０７が、端末撮影部１２０５が撮影を行った結果、端末送信部１２０６が端末送信情報を送信し、それに応じて、ＰＯＩ属性情報を受信したとする。当該ＰＯＩ属性情報は、名称情報と位置情報とを有するものとする。すると、端末出力部１２０８は、当該名称情報を、位置情報が示す地図上の位置に対応付けて画面に出力する。このときの様子は、例えば、図１３である。
【０２４２】
また、端末受信部１２０７が、端末撮影部１２０５が撮影を行った結果、端末送信部１２０６が端末送信情報を送信し、それに応じて、広告情報を受信したとする。すると、端末出力部１２０８は、当該広告情報を、画面に出力する。このときの様子は、例えば、図１４である。図１４において、広告情報は、画面の下段に出力されている。また、図１４において、画面の上段の画像は、端末撮影部１２０５が取得した画像または端末撮影部１２０５を介して取り込まれた景色である。
【０２４３】
以上、本実施の形態による位置情報利用システム１によれば、端末装置１２からサーバ装置１１に送信された位置情報を、撮影ポイントを示すＰＯＩ情報としてサーバ装置１１にて蓄積し、ユーザに対する撮影ポイントの提案などに利用することができる。
【０２４４】
また、本実施の形態による位置情報利用システム１によれば、サーバ装置１１にて蓄積したＰＯＩ情報を統計処理し、当該統計処理の結果に応じて、ＰＯＩ属性情報や、広告情報、ユーザ関連情報などを取得し、端末装置１２に送信することができる。これにより、ユーザが撮影を行った位置などに関連した撮影ポイントの提案や、広告の配信、同様の嗜好を持つユーザの紹介などを、ユーザに対して行うことができる。
【０２４５】
（実施の形態２）
本実施の形態において、サーバ装置２１と端末装置２２とを備える位置情報利用システム２について説明する。サーバ装置２１は、端末装置２２から位置情報を受信し、当該位置情報に対応する広告情報を取得し、当該広告情報を端末装置２２に送信する。また、端末装置２２は、位置情報を取得し、当該位置情報をサーバ装置２１に送信し、サーバ装置２１から広告情報を受信する。
【０２４６】
なお、本実施の形態における位置情報利用システム２の概念図は、図１と同様であり、図１の「位置情報利用システム１」を「位置情報利用システム２」と、「サーバ装置１１」を「サーバ装置２１」と、「端末装置２１」を「端末装置２２」と読み替えたものである。
【０２４７】
図１５は、本実施の形態におけるサーバ装置２１のブロック図である。サーバ装置２１は、広告情報格納部２１０１、受信部２１０２、撮影対象情報取得部２１０３、広告情報取得部２１０４、送信部２１０５を備える。
【０２４８】
また、図１６は、本実施の形態における端末装置２２のブロック図である。端末装置２２は、端末格納部２２０１、端末位置情報取得部２２０２、端末方向情報取得部２２０３、端末角度情報取得部２２０４、端末撮影部２２０５、端末送信部２２０６、端末受信部２２０７、端末出力部２２０８を備える。
【０２４９】
なお、受信部２１０２における処理や動作などは、受信情報に画像も含まれること以外は、実施の形態１の受信部１１０４における処理や動作などと同様であるので、説明を省略する。
【０２５０】
また、送信部２１０５における処理や動作などは、送信情報が広告情報であること以外は、実施の形態１の送信部１１１１における処理や動作などと同様であるので、説明を省略する。
【０２５１】
また、端末格納部２２０１、端末位置情報取得部２２０２、端末方向情報取得部２２０３、端末角度情報取得部２２０４、端末撮影部２２０５における処理や動作などは、それぞれ、実施の形態１の端末格納部１２０１、端末位置情報取得部１２０２、端末方向情報取得部１２０３、端末角度情報取得部１２０４、端末撮影部１２０５における処理や動作などと同様であるので、説明を省略する。
【０２５２】
また、端末送信部２２０６における処理や動作などは、端末送信情報に端末撮影部２２０５が取得した画像も含まれること以外は、実施の形態１の端末送信部１２０６における処理や動作などと同様であるので、説明を省略する。
【０２５３】
また、端末受信部２２０７における処理や動作などは、端末受信情報が広告情報であること以外は、実施の形態１の端末受信部１２０７における処理や動作などと同様であるので、説明を省略する。
【０２５４】
また、端末出力部２２０８における処理や動作などは、端末受信情報が広告情報であることに伴い、広告情報のみを出力すること以外は、実施の形態１の端末出力部１２０８における処理や動作などと同様であるので、説明を省略する。
【０２５５】
広告情報格納部２１０１には、１以上の広告情報が格納される。当該広告情報には、例えば、場所特定情報が対応付いている。また、当該広告情報には、例えば、広告対象情報が対応付いていてもよい。広告対象情報とは、広告情報が示す広告の対象を示す情報である。広告対象情報は、例えば、広告の対象となっている物（対象物）の名称や、当該対象物の種類などである。
【０２５６】
例えば、広告情報が姫路城に関する広告を示す場合、広告対象情報は、例えば、「姫路城」や、「お城」、「建造物」などである。また、例えば、広告情報がポートタワーに関する広告を示す場合、広告対象情報は、例えば、「ポートタワー」や、「タワー」、「ランドマーク」などである。
【０２５７】
また、当該広告情報には、例えば、時刻を示す時刻情報や、曜日を示す曜日情報などが対応付いていてもよい。
【０２５８】
また、広告情報格納部２１０１は、不揮発性の記録媒体が好適であるが、揮発性の記録媒体でも実現可能である。また、広告情報格納部２１０１などに所定の情報が記憶される過程は、問わない。例えば、当該所定の情報は、記録媒体や、通信回線、入力デバイスなどを介して広告情報格納部２１０１などに記憶されてもよい。
【０２５９】
撮影対象情報取得部２１０３は、受信情報を用いて、撮影対象を示す撮影対象情報を取得する。本実施の形態における受信情報は、例えば、位置情報や、方向情報、角度情報、画像などである。また、撮影対象は、通常、端末撮影部２２０５が撮影した対象である。また、撮影対象情報取得部２１０３は、通常、１以上の地点情報を保持しており、当該１以上の地点情報も用いて撮影対象を特定し、当該撮影対象を示す撮影対象情報を取得する。当該地点情報は、例えば、名称情報や、位置情報などを有する。また、当該地点情報は、例えば、種類情報を有していてもよい。
【０２６０】
例えば、撮影対象情報取得部２１０３は、位置情報と、方向情報と、角度情報とを用いて、撮影対象情報を取得する。この場合、撮影対象情報取得部２１０３は、例えば、当該位置情報が示す位置からの距離が予め決められた距離以下の地点であり、かつ、当該位置における当該方向情報が示す方向に合致する地点であり、かつ、当該位置における当該角度情報が示す角度に合致する地点を示す地点情報を、保持している地点情報から取得する。当該取得する地点情報の数は、通常、１つであることが好適である。そして、撮影対象情報取得部２１０３は、例えば、取得した地点情報が有する名称情報を、撮影対象情報として取得する。また、このとき、撮影対象情報取得部２１０３は、例えば、取得した地点情報が有する種類情報を、撮影対象情報として取得してもよい。
【０２６１】
また、例えば、撮影対象情報取得部２１０３は、位置情報と、画像とを用いて、撮影対象情報を取得する。この場合、撮影対象情報取得部２１０３は、例えば、当該画像を画像処理により解析し、当該画像に写っている対象物の種類を特定する。当該画像処理は、例えば、いわゆるパターン認識などである。そして、撮影対象情報取得部２１０３は、位置情報が示す位置からの距離が予め決められた距離以下の地点であり、かつ、画像を用いて特定した対象物の種類に合致する地点を示す地点情報を、保持している地点情報から取得する。当該取得する地点情報の数は、通常、１つであることが好適である。そして、撮影対象情報取得部２１０３は、例えば、取得した地点情報が有する名称情報を、撮影対象情報として取得する。また、このとき、撮影対象情報取得部２１０３は、例えば、取得した地点情報が有する種類情報を、撮影対象情報として取得してもよい。
【０２６２】
また、例えば、撮影対象情報取得部２１０３は、画像を用いて、撮影対象情報を取得してもよい。この場合、撮影対象情報取得部２１０３は、例えば、上記の様に、当該画像を画像処理により解析し、当該画像に写っている対象物の種類を特定する。そして、撮影対象情報取得部２１０３は、当該種類を示す情報を、撮影対象情報として取得する。
【０２６３】
広告情報取得部２１０４は、広告条件を満たす１以上の広告情報を、広告情報格納部２１０１から取得する。また、広告情報取得部２１０４は、通常、受信部２１０２が位置情報などの情報を受信するたびに、１以上の広告情報を取得する。つまり、広告情報取得部２１０４が取得する広告情報は、受信部２１０２が受信した情報に対応する広告情報である。
【０２６４】
また、本実施の形態における広告条件は、実施の形態１における広告条件に加え、広告の対象に関する条件を含む。「広告の対象に関する条件」は、例えば、以下のとおりである。
（ア）撮影対象情報と同一の広告対象情報が広告情報に対応付いていること（撮影対象情報と、広告情報に対応付いている広告対象情報とが、同一であること）
【０２６５】
以上より、広告情報取得部２１０４は、例えば、広告情報格納部２１０１に格納荒れている１以上の各広告情報について、受信位置情報や、撮影対象情報などとの関係が、広告条件を満たすか否かを判断する。そして、広告情報取得部２１０４は、広告条件を満たす場合に、当該広告情報を取得する。
【０２６６】
なお、サーバ装置２１は、サーバ装置１１と同様に、ＰＯＩ情報格納部１１０１や、蓄積部１１０５、ＰＯＩ属性情報取得部１１０９を備えていてもよい。この場合、送信部２１０５は、ＰＯＩ属性情報取得部１１０９が１以上のＰＯＩ属性情報を取得した場合は、当該ＰＯＩ属性情報を、端末装置２２に送信する。また、送信部２１０５は、広告情報取得部２１０４が１以上の広告情報を取得した場合は、当該広告情報を、端末装置２２に送信する。また、これに伴い、端末受信部２２０７は、１以上のＰＯＩ属性情報と、１以上の広告情報とを受信する。また、これに伴い、端末出力部２２０８は、１以上のＰＯＩ属性情報と、１以上の広告情報とを出力する。
【０２６７】
また、端末送信部２２０６は、端末撮影部２２０５が取得した画像のみを、サーバ装置２１に送信してもよい。言い換えると、受信部２１０２は、画像のみを、端末装置２２から受信してもよい。この場合、撮影対象情報取得部２１０３は、通常、受信部２１０２が受信した画像を用いて、撮影対象情報を取得する。また、広告情報取得部２１０４は、当該撮影対象情報と同一の広告対象情報が対応付いている広告情報を、広告情報格納部２１０１から取得する。
【０２６８】
なお、撮影対象情報取得部２１０３、広告情報取得部２１０４は、通常、ＭＰＵやメモリ等から実現され得る。また、撮影対象情報取得部２１０３などの処理手順は、通常、ソフトウェアで実現され、当該ソフトウェアはＲＯＭ等の記録媒体に記録されている。なお、撮影対象情報取得部２１０３などは、ハードウェア（専用回路）で実現されてもよい。
【０２６９】
次に、位置情報利用システム２の全体動作について、フローチャートを用いて説明する。なお、所定の情報におけるｉ番目の情報は、「情報［ｉ］」と記載するものとする。まず、サーバ装置２１の全体動作について、図１７のフローチャートを用いて説明する。なお、図１７のフローチャートにおいて、広告情報格納部２１０１には、ｐ個の広告情報が格納されているものとする。
【０２７０】
（ステップＳ１７０１）撮影対象情報取得部２１０３は、受信部２１０２が受信情報を受信したか否かを判断する。受信した場合は、ステップＳ１７０２に進み、そうでない場合は、ステップＳ１７０１に戻る。
【０２７１】
（ステップＳ１７０２）撮影対象情報取得部２１０３は、受信情報が画像を有するか否かを判断する。画像を有する場合は、ステップＳ１７０３に進み、そうでない場合は、ステップＳ１７０４に進む。
【０２７２】
（ステップＳ１７０３）撮影対象情報取得部２１０３は、受信情報が有する位置情報と画像とを用いて、撮影対象情報を取得する。
【０２７３】
（ステップＳ１７０４）撮影対象情報取得部２１０３は、受信情報が有する位置情報と方向情報と角度情報とを用いて、撮影対象情報を取得する。このとき、撮影対象情報取得部２１０３は、通常、１以上の地点情報を有する地図情報も用いる。
【０２７４】
（ステップＳ１７０５）広告情報取得部２１０４は、カウンタｉに１をセットする。
【０２７５】
（ステップＳ１７０６）広告情報取得部２１０４は、広告情報［ｉ］に対応付いている広告対象情報である広告対象情報［ｉ］が、撮影対象情報と同一であるか否かを判断する。同一である場合は、ステップＳ１７０７に進み、そうでない場合は、ステップＳ１７０８に進む。
【０２７６】
（ステップＳ１７０７）広告情報取得部２１０４は、広告情報［ｉ］を取得する。
【０２７７】
（ステップＳ１７０８）広告情報取得部２１０４は、ｉがｐであるか否かを判断する。ｐである場合は、ステップＳ１７１０に進み、そうでない場合は、ステップＳ１７０９に進む。
【０２７８】
（ステップＳ１７０９）広告情報取得部２１０４は、ｉを１インクリメントする。そして、ステップＳ１７０６に戻る。
【０２７９】
（ステップＳ１７１０）送信部１１１１は、ステップＳ１７０７で取得した広告情報を、受信端末識別子により識別される端末装置２２に送信する。
【０２８０】
なお、図１７のフローチャートにおいて、電源オフや処理終了の割り込みにより処理を終了してもよい。
【０２８１】
また、端末装置２２の全体動作を示すフローチャートは、図７のフローチャートと同様であるので、説明を省略する。
【０２８２】
（具体例）
次に、位置情報利用システム２の動作の具体例について説明する。
【０２８３】
（例１）
本例において、撮影対象情報を取得する例について説明する。なお本例において、撮影対象情報取得部２１０３は、図１８に示す地点情報を保持しているものとする。当該地点情報は、名称情報（項目名：名称）と、種類情報（項目名：種類）と、位置情報（項目名：位置）と、当該位置情報が示す位置に位置する建造物の高さを示す高さ情報（項目名：高さ）とを有する。また、当該地点情報には、レコードを一意に特定するためのＩＤが対応付いている。
【０２８４】
まず、受信部２１０２が、実施の形態１の具体例と同様に、位置情報と、方向情報と、角度情報とを有する受信情報を受信したものとする。なお、当該方向情報は、方角を示す情報であることが好適である。
【０２８５】
次に、撮影対象情報取得部２１０３は、受信位置情報、受信方向情報、受信角度情報を用いて、ユーザが撮影したと考えられる撮影対象を示す名称情報を、図１８の地点情報から取得する。まず、撮影対象情報取得部２１０３は、例えば、図１８の各地点情報について、受信位置情報と、当該各地点情報が有する位置情報とを用いて、受信位置情報が示す位置から見た方向を算出する。この結果、撮影対象情報取得部２１０３は、図１８の各地点情報に対応する方向情報を算出する。なお、このとき、算出する方向情報は、方角を示す情報であることが好適である。
【０２８６】
次に、撮影対象情報取得部２１０３は、図１８の各地点情報について、上記で算出した方向情報が示す方向が、受信方向情報が示す方向と予め決められた条件（以下、適宜、方向条件）を満たすほど近いか否かを判断する。当該「受信方向情報が示す方向と予め決められた条件を満たすほど近い」は、例えば、「受信方向情報が示す方向との差異が予め決められた条件を満たすほど小さい」であってもよい。
【０２８７】
例えば、受信方向情報が「４５°」であるとする。また、地点情報が有する方向情報が「４０°」であるとする。また、上記方向条件が「方向差≦±１０°」であるとする。当該方向条件は、受信方向情報との差がプラスマイナス１０°以下であることを意味する。この様な場合、撮影対象情報取得部２１０３は、当該地点情報が有する方向情報が、当該方向条件を満たすと判断する。
【０２８８】
次に、撮影対象情報取得部２１０３は、当該方向条件を満たす地点情報を、図１８の地点情報から取得する。当該取得した地点情報を、候補地点情報とする。また、ここで、撮影対象情報取得部２１０３は、図１８の「ＩＤ＝０１１」、「ＩＤ＝０１２」、「ＩＤ＝０１６」、「ＩＤ＝０１７」、「ＩＤ＝０２１」、「ＩＤ＝０２２」の６個の地点情報を、候補地点情報として取得したものとする。
【０２８９】
次に、撮影対象情報取得部２１０３は、６個の各候補地点情報について、受信位置情報と、当該各地点情報が有する位置情報とを用いて、受信位置情報が示す位置から当該候補地点情報が示す地点までの距離を算出する。そして、撮影対象情報取得部２１０３は、当該算出した距離と、当該各候補地点情報が有する高さ情報とを用いて、受信位置情報が示す位置において当該高さ情報が示す高さの建造物を撮影するに要する端末装置１２の角度を算出する。この結果、撮影対象情報取得部２１０３は、各候補地点情報に対応する角度情報を算出する。
【０２９０】
次に、撮影対象情報取得部２１０３は、候補地点情報について、上記で算出した角度情報が示す角度が、受信角度情報が示す角度と予め決められた条件（以下、適宜、角度条件）を満たすほど近いか否かを判断する。当該「受信角度情報が示す角度と予め決められた条件を満たすほど近い」は、「受信角度情報が示す角度との差異が予め決められた条件を満たすほど小さい」であってもよい。
【０２９１】
例えば、受信角度情報が「４５°」であるとする。また、上記で算出した角度情報が「４０°」であるとする。また、上記角度条件が「角度差≦±１０°」であるとする。当該角度条件は、受信角度情報との差がプラスマイナス１０°以下であることを意味する。この様な場合、撮影対象情報取得部２１０３は、当該算出した角度情報が、当該角度条件を満たすと判断する。
【０２９２】
そして、撮影対象情報取得部２１０３は、当該角度条件を満たす地点情報を、候補地点情報から取得する。当該取得した地点情報を、最終地点情報とする。また、ここで、撮影対象情報取得部２１０３は、図１８の「ＩＤ＝０１１」の地点情報を、最終地点情報として取得したものとする。なお、最終地点情報の数は、通常、１つであることが好適であるが、１以上であってもよい。
【０２９３】
次に、撮影対象情報取得部２１０３は、最終地点情報である図１８の「ＩＤ＝０１１」の地点情報が有する名称情報「αランド」を、撮影対象情報として取得する。
【０２９４】
また、受信部２１０２が、実施の形態１の具体例と同様に、位置情報と、画像とを有する受信情報を受信したものとする。当該画像は、図１９に示す画像であるものとする。また、ここで、撮影対象情報取得部２１０３は、様々な種類の対象物を撮影した各画像から取得した特徴量と、当該対象物の種類を示す種類情報との対応表を保持しているものとする。
【０２９５】
次に、撮影対象情報取得部２１０３は、受信画像を画像処理により解析し、当該画像の特徴量を取得する。そして、撮影対象情報取得部２１０３は、当該取得した特徴量が、保持している対応表が有する特徴量のいずれと類似するか否かを判断する。そして、撮影対象情報取得部２１０３は、類似すると判断した特徴量に対応付いている種類情報を取得する。当該種類情報は、「お城」であるものとする。
【０２９６】
次に、撮影対象情報取得部２１０３は、受信位置情報が示す位置からの距離が予め決められた距離以下の位置を有し、かつ、種類情報「お城」を有する地点情報を、図１８の地点情報から取得する。
【０２９７】
次に、撮影対象情報取得部２１０３は、取得した地点情報が有する名称情報「δタワー」を、撮影対象情報として取得する。
【０２９８】
なお、撮影対象情報取得部２１０３は、例えば、受信画像を用いて取得した種類情報「お城」を、撮影対象情報として取得してもよい。
【０２９９】
（例２）
次に、受信位置情報に対応する広告情報を取得する例について説明する。なお、本例において、広告情報格納部２１０１には、図２０に示す広告情報が格納されているものとする。当該広告情報（項目名：広告）には、レコードを一意に特定するためのＩＤと、場所特定情報（項目名：場所）と、広告対象情報（項目名：広告対象）とが対応付いている。また、図２０の「ＩＤ＝０１４」と「ＩＤ＝０１５」の広告情報には、広告対象情報は対応付いていない。
【０３００】
まず、受信部２１０２が、実施の形態１の具体例と同様に、位置情報を有する受信情報を受信したものとする。
【０３０１】
次に、広告情報取得部２１０４は、図２０の５個の各広告情報について、受信位置情報が示す位置との距離が予め決められた距離以下の位置を示す場所特定情報や、当該受信位置情報が示す位置を含む領域を示す場所特定情報が対応付いている否かを判断する。この結果、広告情報取得部２１０４は、図２０の「ＩＤ＝０１３」の広告情報について、当該場所特定情報が対応付いていると判断したものとする。
【０３０２】
次に、広告情報取得部２１０４は、図２０の「ＩＤ＝０１３」の広告情報「ａｄｓ０１３．ｊｐｇ」を取得する。
【０３０３】
（例３）
次に、撮影対象情報を用いて広告情報を取得する例について説明する。なお、本例において、広告情報格納部２１０１には、図２０に示す広告情報が格納されているものとする。
【０３０４】
まず、撮影対象情報取得部２１０３が、例１と同様の処理を行い、撮影対象情報「お城」を取得しているものとする。
【０３０５】
次に、広告情報取得部２１０４は、図２０の５個の各広告情報について、撮影対象情報「お城」と同一の広告対象情報が対応付いているか否かを判断する。そして、広告情報取得部２１０４は、図２０の「ＩＤ＝０１３」の広告情報について、当該撮影対象情報と同一の広告対象情報「お城」が対応付いていると判断する。
【０３０６】
次に、広告情報取得部２１０４は、図２０の「ＩＤ＝０１３」の広告情報「ａｄｓ０１３．ｊｐｇ」を取得する。
【０３０７】
なお、端末装置２２において受信した広告情報を出力する例は、実施の形態１の具体例と同様であるので、説明を省略する。
【０３０８】
以上、本実施の形態による位置情報利用システム２によれば、端末装置１２から受信した位置情報などの受信情報に対応する広告情報を取得し、端末装置１２に送信することができる。これにより、ユーザが撮影を行った位置などに関連した広告の配信を、ユーザに対して行うことができる。
【０３０９】
また、上記各実施の形態において、一の装置に存在する２以上の通信手段は、物理的に一の媒体で実現されてもよいことは言うまでもない。
【０３１０】
また、上記各実施の形態におけるサーバ装置は、例えば、スタンドアロンの装置であってもよいし、サーバ・クライアントシステムにおけるサーバ装置であってもよい。
【０３１１】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０３１２】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０３１３】
また、上記各実施の形態におけるサーバ装置を実現するソフトウェアは、例えば、以下のようなプログラムである。つまり、このプログラムは、ＰＯＩに関する情報であり、位置を示す位置情報を少なくとも含む１種類以上のＰＯＩ属性情報を有する情報である１以上のＰＯＩ情報が格納されるＰＯＩ情報格納部にアクセス可能なコンピュータを、位置情報を受信する受信部と、前記受信部が受信した位置情報を有するＰＯＩ情報を構成し、当該ＰＯＩ情報を前記ＰＯＩ情報格納部に蓄積する蓄積部と、前記ＰＯＩ情報格納部に格納されている１以上のＰＯＩ情報のうち、前記受信部が受信した位置情報との関係が予め決められた条件を満たす位置情報を有する１以上の各ＰＯＩ情報から、予め決められた種類の１以上のＰＯＩ属性情報を取得するＰＯＩ属性情報取得部と、前記ＰＯＩ属性情報取得部が取得した１以上のＰＯＩ属性情報を前記端末装置に送信する送信部として機能させるためのプログラムである。
【０３１４】
また、上記各実施の形態における端末装置を実現するソフトウェアは、例えば、以下のようなプログラムである。つまり、このプログラムは、コンピュータを、端末装置の位置を示す位置情報を取得する端末位置情報取得部と、撮影を行う端末撮影部と、前記撮影時に前記端末位置情報取得部が取得した位置情報を送信する端末送信部と、１以上のＰＯＩ属性情報を受信する端末受信部と、前記端末受信部が受信した１以上のＰＯＩ属性情報を出力する端末出力部として機能させるためのプログラムである。
【０３１５】
なお、上記プログラムにおいて、上記プログラムが実現する機能には、ハードウェアでしか実現できない機能は含まれない。
【０３１６】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０３１７】
また、上記プログラムを実行するコンピュータは、単数であってもよいし、複数であってもよい。つまり、集中処理を行ってもよいし、あるいは分散処理を行ってもよい。
【０３１８】
また、図２１は、前述のプログラムを実行して、前述の実施の形態のサーバ装置等を実現するコンピュータシステム９の概観図である。前述の実施の形態は、コンピュータハードウェア、およびその上で実行されるコンピュータプログラムで実現され得る。
【０３１９】
図２１において、コンピュータシステム９は、ＣＤ−ＲＯＭドライブ９０１１、ＦＤドライブ９０１２を含むコンピュータ９０１と、キーボード９０２と、マウス９０３と、モニタ９０４とを備える。
【０３２０】
図２２は、コンピュータシステム９のブロック図である。図２２において、コンピュータ９０１は、ＣＤ−ＲＯＭドライブ９０１１、ＦＤドライブ９０１２に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、およびデータを記憶するためのハードディスク９０１６と、ＣＤ−ＲＯＭドライブ９０１１、ＦＤドライブ９０１２、ＭＰＵ９０１３等を相互に接続するバス９０１７とを備える。ここでは図示しないが、コンピュータ９０１は、さらに、ＬＡＮへの接続を提供するネットワークカードを備えていてもよい。
【０３２１】
コンピュータシステム９に、前述の実施の形態のサーバ装置等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０３２２】
プログラムは、コンピュータ９０１に、前述の実施の形態のサーバ装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０３２３】
本発明は、以上の実施の形態に限定されることなく、種々の変更が可能であり、それらも本発明の範囲内に包含されるものであることは言うまでもない。
【産業上の利用可能性】
【０３２４】
以上のように、本発明にかかるサーバ装置は、撮影した位置を示す位置情報を収集し、利用することができるという効果を有し、ユーザに撮影ポイントを提案するサービス等として有用である。
【符号の説明】
【０３２５】
１、２  位置情報利用システム
１１、２１  サーバ装置
１２、２２  端末装置
１３  ネットワーク
１１０１  ＰＯＩ情報格納部
１１０２、２１０１  広告情報格納部
１１０３  ユーザ管理情報格納部
１１０４、２１０２  受信部
１１０５  蓄積部
１１０６  統計処理部
１１０７  端末識別子取得部
１１０８  ユーザ関連情報取得部
１１０９  ＰＯＩ属性情報取得部
１１１０、２１０４  広告情報取得部
１１１１、２１０５  送信部
１２０１、２２０１  端末格納部
１２０２、２２０２  端末位置情報取得部
１２０３、２２０３  端末方向情報取得部
１２０４、２２０４  端末角度情報取得部
１２０５、２２０５  端末撮影部
１２０６、２２０６  端末送信部
１２０７、２２０７  端末受信部
１２０８、２２０８  端末出力部
２１０３  撮影対象情報取得部
【図１】
2015005079.tif 000003
【図２】
2015005079.tif 000004
【図３】
2015005079.tif 000005
【図４】
2015005079.tif 000006
【図５】
2015005079.tif 000007
【図６】
2015005079.tif 000008
【図７】
2015005079.tif 000009
【図８】
2015005079.tif 000010
【図９】
2015005079.tif 000011
【図１０】
2015005079.tif 000012
【図１１】
2015005079.tif 000013
【図１５】
2015005079.tif 000014
【図１６】
2015005079.tif 000015
【図１７】
2015005079.tif 000016
【図１８】
2015005079.tif 000017
【図２０】
2015005079.tif 000018
【図２１】
2015005079.tif 000019
【図２２】
2015005079.tif 000020
【図１２】
2015005079.tif 000021
【図１３】
2015005079.tif 000022
【図１４】
2015005079.tif 000023
【図１９】
2015005079.tif 000024